(57)【要約】【課題】遊技球転動部における遊技球の動作を多様化することができかつ遊技球の転動動作も従来より多く楽しむことが可能な弾球遊技機を提供する。【解決手段】  本発明のパチンコ遊技機１０によれば、移動部材４３が受入許容位置にあるか受入規制位置にあるかに応じて、移動部材４３の移動排出補助孔４３Ａを経由して遊技球が高確率排出部５２から排出される或いは遊技球がそれ以外の経路を経由して低確率排出部５３から排出されるかに分かれる。このように、本発明によれば、移動部材４３の位置に応じて遊技球の動作が変わり遊技球の動作の多様化が図られる。しかも、移動部材４３を高確率排出部５２自体に備えたことで、遊技球転動部４０に進入した遊技球が高確率排出部５２に向かって転動する転動動作を従来より長く楽しむことができる。【選択図】図２
2010264290.tif 000002
【特許請求の範囲】
【請求項１】
遊技球が転動可能な遊技球転動部と、
前記遊技球転動部から排出されて流下した遊技球が入球可能であり、遊技球の入球に応じて遊技の特典を付与する入賞装置とを備えた弾球遊技機において、
前記遊技球転動部のうち遊技球の排出部には、前記入賞装置への入球確率が比較的高い高確率排出部と、比較的低い低確率排出部とが備えられ、
前記高確率排出部には、受け入れた遊技球を前記高確率排出部から排出させる移動排出補助孔を有し、前記遊技球転動部を転動した遊技球の前記移動排出補助孔への受け入れを許容する受入許容位置と、前記移動排出補助孔への受け入れを規制する受入規制位置との間で移動する移動部材を備えたことを特徴とする弾球遊技機。
【請求項２】
前記高確率排出部には、前記遊技球転動部に上方を向いて開口した高確率排出部始端口と、前記遊技球転動部を避けた位置で開口した高確率排出部終端口と、それら高確率排出部始端口と高確率排出部終端口との間を連通した高確率遊技球通路とが備えられ、
前記移動部材は、少なくとも一部が前記高確率遊技球通路の内部に収容されると共に、前記移動排出補助孔における遊技球の排出口が、前記高確率遊技球通路内に配置されたことを特徴とする請求項１に記載の弾球遊技機。
【請求項３】
前記移動部材は、前記受入規制位置では、遊技球を前記高確率遊技球通路以外の位置に案内するように構成されたことを特徴とする請求項２に記載の弾球遊技機。
【請求項４】
前記移動部材を前記受入許容位置と前記受入規制位置との間で移動する電気的駆動源を備えたことを特徴とする請求項２又は３に記載の弾球遊技機。
【請求項５】
前記電気的駆動源は、前記移動部材を上下動し、
前記移動部材が上下ストロークの最下限位置に至ったときにのみ、前記移動排出補助孔から遊技球を排出可能としたことを特徴とする請求項４に記載の弾球遊技機。
【請求項６】
前記電気的駆動源は、前記移動部材を上下動し、
前記移動部材は、内側が前記移動排出補助孔になった筒状をなすと共に、上端面に前記移動排出補助孔が開口し、
前記移動部材が前記受入許容位置に至ると、前記移動部材の上端面が前記高確率排出部始端口の周縁部に対して面一又は下方に位置する一方、前記移動部材が前記受入規制位置に至ると、前記移動部材の上端面が前記高確率排出部始端口の周縁部より上方に位置するように構成したことを特徴とする請求項４又は５に記載の弾球遊技機。
【請求項７】
前記電気的駆動源は、前記移動部材を上下動し、
前記移動部材は、上下方向に延びた筒部と、その筒部の上端部から側方に張り出したフランジ部とを備えてなると共に、前記移動排出補助孔としての前記筒部の内側空間が前記フランジ部の上面に開放し、
前記遊技球転動部は、板状壁部を備え、その板状壁部には、前記高確率排出部始端口が前記フランジ部を挿通可能に貫通形成され、
前記低確率排出部は、前記板状壁部の下方のうち前記筒部の側方を通過する低確率遊技球通路を有し、
前記移動部材が前記受入許容位置に至ると、前記フランジ部の上面が前記高確率排出部始端口の周縁部に対して面一又は下方に位置する一方、前記移動部材が前記受入規制位置に至ると、前記フランジ部が前記高確率排出部始端口の周縁部より上方に離間し、遊技球が前記筒部と前記高確率排出部始端口の周縁部との間を通過して前記低確率遊技球通路に進入可能になることを特徴とする請求項４又は５に記載の弾球遊技機。
【請求項８】
前記電気的駆動源は、前記移動部材を上下動し、
前記移動部材は、内側が前記移動排出補助孔になった筒状をなすと共に、上端面に前記移動排出補助孔が開口し、
前記低確率排出部は、前記板状壁部の下方のうち前記移動部材の側方を通過する低確率遊技球通路を有し、
前記移動部材が前記受入許容位置に至ると、前記移動部材の上端面が前記高確率排出部始端口の周縁部に対して面一又は下方に位置する一方、前記移動部材が前記受入規制位置に至ると、前記移動部材の上端面が前記高確率排出部始端口の周縁部より下方に離間して、遊技球が前記移動部材の上端面と前記板状壁部の下面との間を通過して前記低確率遊技球通路に進入可能になることを特徴とする請求項４又は５に記載の弾球遊技機。
【請求項９】
前記電気的駆動源は、モータであり、前記モータの回転出力を前記移動部材の直動運動に変換する運動変換機構には、前記モータによって駆動されるモータ回転出力部材と前記移動部材とに両端部を回転可能にピンにて連結されかつ、少なくとも一端部に前記ピンをスライド可能に収容する長孔を備えたリンク部材が備えられたことを特徴とする請求項４乃至８の何れかに記載の弾球遊技機。
【請求項１０】
前記移動部材を上下動可能に案内するガイド部を備えたことを特徴とする請求項１乃至９の何れかに記載の弾球遊技機。
【請求項１１】
前記電気的駆動源は、略水平方向を向いた回動軸を中心にして前記移動部材を回動し、
前記遊技球転動部は、板状壁部を備えて、その板状壁部に前記高確率排出部始端口が貫通形成され、
前記移動部材は、前記回転軸の方向に延びた円柱状をなして前記板状壁部の下方に配置され、
前記移動排出補助孔は、前記移動部材に貫通形成され、
前記移動部材が前記受入許容位置に至ると、前記移動部材の周面における前記移動排出補助孔の何れか一方の開口が、前記高確率排出部始端口と対向する一方、前記移動部材が前記受入規制位置に至ると、前記移動部材の周面における前記移動排出補助孔の開口以外の壁部が、前記高確率排出部始端口を閉じるように構成したことを特徴とする請求項４に記載の弾球遊技機。
【請求項１２】
前記電気的駆動源は、略水平方向を向いた回動軸を中心にして前記移動部材を回動し、
前記遊技球転動部は、板状壁部を備えて、その板状壁部に前記高確率排出部始端口が貫通形成され、
前記移動部材は、前記回動軸の方向に延びた円柱状をなして前記板状壁部の下方に配置され、
前記移動排出補助孔は、前記移動部材の外周面に出入共通口を有して奥側が閉じられた構造をなし、
前記移動部材が前記受入許容位置に至ると、前記移動部材の周面における前記移動排出補助孔の出入共通口が、前記高確率排出部始端口と対向すると共に、前記移動部材が前記受入許容位置以外の所定の位置で、前記移動排出補助孔の出入共通口から遊技球が排出され、
前記移動部材が前記受入規制位置に至ると、前記移動部材の周面における前記移動排出補助孔の出入共通口以外の壁部が前記高確率排出部始端口を閉じるように構成したことを特徴とする請求項４に記載の弾球遊技機。
【請求項１３】
前記遊技球転動部は、板状壁部を備えて、その板状壁部に前記高確率排出部始端口が貫通形成され、
前記移動部材は、前記板状壁部の下方に配置され、
前記電気的駆動源は、前記移動部材を略水平方向に往復動し、
前記移動排出補助孔は、前記移動部材に貫通形成され、
前記移動部材が前記受入許容位置に至ると、前記移動部材の周面における前記移動排出補助孔の何れか一方の開口が、前記高確率排出部始端口と対向する一方、前記移動部材が前記受入規制位置に至ると、前記移動部材の周面における前記移動排出補助孔の開口以外の壁部が、前記高確率排出部始端口を閉じるように構成したことを特徴とする請求項４に記載の弾球遊技機。
【請求項１４】
前記移動部材が前記受入規制位置に至り、前記移動部材の周面における前記移動排出補助孔の開口以外の壁部が、前記高確率排出部始端口を閉じた状態で、前記遊技球が前記高確率排出部始端口内に保持されかつ、その遊技球を前記遊技球転動部を転動した他の遊技球との衝突によって押し出し可能としたことを特徴とする請求項１１乃至１３の何れかに記載の弾球遊技機。
【請求項１５】
前記遊技球転動部を第１転動領域と第２転動領域とに区画し、前記第１転動領域から第２転動領域へと遊技球が転動可能であると共に、前記第２転動領域から第１転動領域への遊技球の転動が規制され、
前記高確率遊技球通路の高確率排出部始端口が前記第１転動領域に開口する一方、前記高確率遊技球通路の高確率排出部終端口が、前記第２転動領域への転動を避けた位置に開口し、
前記低確率排出部は、前記第２転動領域を転動した遊技球を受け入れて前記低確率排出部から前記遊技球転動部の外部に遊技球を排出するように構成されたこを特徴とする請求項２乃至１４の何れかに記載の弾球遊技機。
【請求項１６】
前記第２転動領域に形成されて上方側が開放すると共に、前記第２転動領域の縁部に排出口を備えた誘導排出溝を前記低確率排出部の一部として設けたことを特徴とする請求項１５に記載の弾球遊技機。
【請求項１７】
前記第２転動領域の縁部には、遊技球の排出を規制する流下防止突条が形成され、
前記低確率排出部には、前記誘導排出溝とは別に設けられ、前記流下防止突条を排除して遊技球の排出を可能としかつ前記誘導排出溝より前記入賞装置への入球確率が低い一般低確率排出部が形成されたことを特徴とする請求項１６に記載の弾球遊技機。
【請求項１８】
前記高確率遊技球通路の高確率排出部終端口を、前記入賞装置の真上に配置したことを特徴とする請求項２乃至１７の何れかに記載の弾球遊技機。
【請求項１９】
前記移動部材は、上下動して前記受入許容位置と前記受入規制位置との間を移動し、
前記移動部材が前記受入規制位置に位置したときに、前記移動排出補助孔への遊技球の受入口が前記遊技球転動部より上方に配置される一方、前記移動部材が前記受入許容位置に位置したときに、前記移動排出補助孔への遊技球の受入口が前記遊技球転動部と同一又は前記遊技球転動部より低い位置に配置されるように構成したことを特徴とする請求項４又は５に記載の弾球遊技機。
【請求項２０】
前記遊技球転動部の上方側を流下する遊技球を受け入れて、前記遊技球転動部へと案内する流入路を備えたことを特徴とする請求項１乃至１９の何れかに記載の弾球遊技機。
【請求項２１】
前面側を遊技球が流下する遊技板を備え、
前記遊技板の一部に切除して前面側が開放した凹部室を形成し、その凹部室の内側下部に前記遊技球転動部を配置したことを特徴とする請求項１乃至２０の何れかに記載の弾球遊技機。
【請求項２２】
遊技球が転動可能な遊技球転動部と、
前記遊技球転動部から排出されて流下した遊技球が入球可能であり、遊技球の入球に応じて遊技の特典を付与する入賞装置と、
遊技球が一端から他端へと通過可能な移動排出補助孔を有し、前記遊技球転動部に対して受入許容位置と受入規制位置との間を移動する移動部材とを備えた弾球遊技機において、
前記遊技球転動部には、前記遊技球転動部を転動した遊技球が前記移動排出補助孔を通過して前記遊技球転動部から排出される第１排出路と、前記遊技球転動部を転動した遊技球が前記移動排出補助孔を通過せずに前記遊技球転動部から排出される第２排出路とが備えられ、
前記移動部材は、前記遊技球転動部を転動した遊技球の前記移動排出補助孔への受け入れを許容する受入許容位置と、前記移動排出補助孔への受け入れを規制する受入規制位置との間で移動することを特徴とする弾球遊技機。
【請求項２３】
前記第１排出路及び前記第２排出路は、遊技球を遊技の特典を付与可能な装置に誘導することを特徴とする請求項２２に記載の弾球遊技機。
【発明の詳細な説明】
【技術分野】
【０００１】
本発明は、遊技球を遊技球転動部に転動させてから入賞装置に入賞させることが可能な弾球遊技機に関する。
【背景技術】
【０００２】
従来、この種の弾球遊技機の周知例として、遊技球転動部の中央に高確率案内路の上端開口を配置したものが知られている。これに対し、遊技球転動部における遊技球の動作を多様化させるために、遊技球転動部の両端寄り位置にそれぞれ凹部を形成し、各凹部内に設けた移動部材が降下したときに遊技球を移動部材の上面に受け入れ、上昇したときに移動部材から高確率案内路に遊技球を転動させる構成のものが知られている（例えば、特許文献１参照）。
【先行技術文献】
【特許文献】
【０００３】
【特許文献１】特開２００５−１３１０６０号公報（段落［００３３］、第３図）
【発明の概要】
【発明が解決しようとする課題】
【０００４】
しかしながら、上記した従来の弾球遊技機では、移動部材が上昇した状態では、遊技球が高確率案内路に入球しないことが即刻判明する。このため、移動部材が上昇すると遊技球の動作に対する興味が激減すると共に、高確率案内路に遊技球が向かって転動する転動動作自体も楽しむことができなくなる。
【０００５】
本発明は、上記事情に鑑みてなされたもので、遊技球転動部における遊技球の動作を多様化することができかつ遊技球の転動動作も従来より多く楽しむことが可能な弾球遊技機の提供を目的とする。
【課題を解決するための手段】
【０００６】
上記目的を達成するためになされた請求項１の発明に係る弾球遊技機は、遊技球が転動可能な遊技球転動部と、遊技球転動部から排出されて流下した遊技球が入球可能であり、遊技球の入球に応じて遊技の特典を付与する入賞装置とを備えた弾球遊技機において、遊技球転動部のうち遊技球の排出部には、入賞装置への入球確率が比較的高い高確率排出部と、比較的低い低確率排出部とが備えられ、高確率排出部には、受け入れた遊技球を高確率排出部から排出させる移動排出補助孔を有し、遊技球転動部を転動した遊技球の移動排出補助孔への受け入れを許容する受入許容位置と、移動排出補助孔への受け入れを規制する受入規制位置との間で移動する移動部材を備えたところに特徴を有する。
【０００７】
請求項２の発明は、請求項１に記載の弾球遊技機において、高確率排出部には、遊技球転動部に上方を向いて開口した高確率排出部始端口と、遊技球転動部を避けた位置で開口した高確率排出部終端口と、それら高確率排出部始端口と高確率排出部終端口との間を連通した高確率遊技球通路とが備えられ、移動部材は、少なくとも一部が高確率遊技球通路の内部に収容されると共に、移動排出補助孔における遊技球の排出口が、高確率遊技球通路内に配置されたところに特徴を有する。
【０００８】
請求項３の発明は、請求項２に記載の弾球遊技機において、移動部材は、受入規制位置では、遊技球を高確率遊技球通路以外の位置に案内するように構成されたところに特徴を有する。
【０００９】
請求項４の発明は、請求項２に記載の弾球遊技機において、移動部材を受入許容位置と受入規制位置との間で移動する電気的駆動源を備えたところに特徴を有する。
【００１０】
請求項５の発明は、請求項４に記載の弾球遊技機において、電気的駆動源は、移動部材を上下動し、移動部材が上下ストロークの最下限位置に至ったときにのみ、移動排出補助孔から遊技球を排出可能としたところに特徴を有する。
【００１１】
請求項６の発明は、請求項４又は５に記載の弾球遊技機において、電気的駆動源は、移動部材を上下動し、移動部材は、内側が移動排出補助孔になった筒状をなすと共に、上端面に移動排出補助孔が開口し、移動部材が受入許容位置に至ると、移動部材の上端面が高確率排出部始端口の周縁部に対して面一又は下方に位置する一方、移動部材が受入規制位置に至ると、移動部材の上端面が高確率排出部始端口の周縁部より上方に位置するように構成したところに特徴を有する。
【００１２】
請求項７の発明は、請求項４又は５に記載の弾球遊技機において、電気的駆動源は、移動部材を上下動し、移動部材は、上下方向に延びた筒部と、その筒部の上端部から側方に張り出したフランジ部とを備えてなると共に、移動排出補助孔としての筒部の内側空間がフランジ部の上面に開放し、遊技球転動部は、板状壁部を備え、その板状壁部には、高確率排出部始端口がフランジ部を挿通可能に貫通形成され、低確率排出部は、板状壁部の下方のうち筒部の側方を通過する低確率遊技球通路を有し、移動部材が受入許容位置に至ると、フランジ部の上面が高確率排出部始端口の周縁部に対して面一又は下方に位置する一方、移動部材が受入規制位置に至ると、フランジ部が高確率排出部始端口の周縁部より上方に離間し、遊技球が筒部と高確率排出部始端口の周縁部との間を通過して低確率遊技球通路に進入可能になるところに特徴を有する。
【００１３】
請求項８の発明は、請求項４又は５に記載の弾球遊技機において、電気的駆動源は、移動部材を上下動し、移動部材は、内側が移動排出補助孔になった筒状をなすと共に、上端面に移動排出補助孔が開口し、低確率排出部は、板状壁部の下方のうち筒部の側方を通過する低確率遊技球通路を有し、移動部材が受入許容位置に至ると、移動部材の上端面が高確率排出部始端口の周縁部に対して面一又は下方に位置する一方、移動部材が受入規制位置に至ると、移動部材の上端面が高確率排出部始端口の周縁部より下方に離間して、遊技球が移動部材の上端面と板状壁部の下面との間を通過して低確率遊技球通路に進入可能になるところに特徴を有する。
【００１４】
請求項９の発明は、請求項４乃至８の何れかに記載の弾球遊技機において、電気的駆動源は、モータであり、モータの回転出力を移動部材の直動運動に変換する運動変換機構には、モータによって駆動されるモータ回転出力部材と移動部材とに両端部を回転可能にピンにて連結されかつ、少なくとも一端部にピンをスライド可能に収容する長孔を備えたリンク部材が備えられたところに特徴を有する。
【００１５】
請求項１０の発明は、請求項１乃至９の何れかに記載の弾球遊技機において、移動部材を上下動可能に案内するガイド部を備えたところに特徴を有する。
【００１６】
請求項１１の発明は、請求項４に記載の弾球遊技機において、電気的駆動源は、略水平方向を向いた回動軸を中心にして移動部材を回動し、遊技球転動部は、板状壁部を備えて、その板状壁部に高確率排出部始端口が貫通形成され、移動部材は、回転軸の方向に延びた円柱状をなして板状壁部の下方に配置され、移動排出補助孔は、移動部材に貫通形成され、移動部材が受入許容位置に至ると、移動部材の周面における移動排出補助孔の何れか一方の開口が、高確率排出部始端口と対向する一方、移動部材が受入規制位置に至ると、移動部材の周面における移動排出補助孔の開口以外の壁部が、高確率排出部始端口を閉じるように構成したところに特徴を有する。
【００１７】
請求項１２の発明は、請求項４に記載の弾球遊技機において、電気的駆動源は、略水平方向を向いた回動軸を中心にして移動部材を回動し、遊技球転動部は、板状壁部を備えて、その板状壁部に高確率排出部始端口が貫通形成され、移動部材は、回動軸の方向に延びた円柱状をなして板状壁部の下方に配置され、移動排出補助孔は、移動部材の外周面に出入共通口を有して奥側が閉じられた構造をなし、移動部材が受入許容位置に至ると、移動部材の周面における移動排出補助孔の出入共通口が、高確率排出部始端口と対向すると共に、移動部材が受入許容位置以外の所定の位置で、移動排出補助孔の出入共通口から遊技球が排出され、移動部材が受入規制位置に至ると、移動部材の周面における移動排出補助孔の出入共通口以外の壁部が高確率排出部始端口を閉じるように構成したところに特徴を有する。
【００１８】
請求項１３の発明は、請求項４に記載の弾球遊技機において、遊技球転動部は、板状壁部を備えて、その板状壁部に高確率排出部始端口が貫通形成され、移動部材は、板状壁部の下方に配置され、電気的駆動源は、移動部材を略水平方向に往復動し、移動排出補助孔は、移動部材に貫通形成され、移動部材が受入許容位置に至ると、移動部材の周面における移動排出補助孔の何れか一方の開口が、高確率排出部始端口と対向する一方、移動部材が受入規制位置に至ると、移動部材の周面における移動排出補助孔の開口以外の壁部が、高確率排出部始端口を閉じるように構成したところに特徴を有する。
【００１９】
請求項１４の発明は、請求項１１乃至１３の何れかに記載の弾球遊技機において、移動部材が受入規制位置に至り、移動部材の周面における移動排出補助孔の開口以外の壁部が、高確率排出部始端口を閉じた状態で、遊技球が高確率排出部始端口内に保持されかつ、その遊技球を遊技球転動部を転動した他の遊技球との衝突によって押し出し可能としたところに特徴を有する。
【００２０】
請求項１５の発明は、請求項２乃至１４の何れかに記載の弾球遊技機において、遊技球転動部を第１転動領域と第２転動領域とに区画し、第１転動領域から第２転動領域へと遊技球が転動可能であると共に、第２転動領域から第１転動領域への遊技球の転動が規制され、高確率遊技球通路の高確率排出部始端口が第１転動領域に開口する一方、高確率遊技球通路の高確率排出部終端口が、第２転動領域への転動を避けた位置に開口し、低確率排出部は、第２転動領域を転動した遊技球を受け入れて低確率排出部から遊技球転動部の外部に遊技球を排出するように構成されたところに特徴を有する。
【００２１】
請求項１６の発明は、請求項１５に記載の弾球遊技機において、第２転動領域に形成されて上方側が開放すると共に、第２転動領域の縁部に排出口を備えた誘導排出溝を低確率排出部の一部として設けたところに特徴を有する。
【００２２】
請求項１７の発明は、請求項１６に記載の弾球遊技機において、第２転動領域の縁部には、遊技球の排出を規制する流下防止突条が形成され、低確率排出部には、誘導排出溝とは別に設けられ、流下防止突条を排除して遊技球の排出を可能としかつ誘導排出溝より入賞装置への入球確率が低い一般低確率排出部が形成されたところに特徴を有する。
【００２３】
請求項１８の発明は、請求項１５乃至１７の何れかに記載の弾球遊技機において、高確率遊技球通路の高確率排出部終端口を、入賞装置の真上に配置したところに特徴を有する。
【００２４】
請求項１９の発明は、請求項４又は５に記載の弾球遊技機において、移動部材は、上下動して受入許容位置と受入規制位置との間を移動し、移動部材が受入規制位置に位置したときに、移動排出補助孔への遊技球の受入口が遊技球転動部より上方に配置される一方、移動部材が受入許容位置に位置したときに、移動排出補助孔への遊技球の受入口が遊技球転動部と同一又は遊技球転動部より低い位置に配置されるように構成したところに特徴を有する。
【００２５】
請求項２０の発明は、請求項１乃至１９の何れかに記載の弾球遊技機において、遊技球転動部の上方側を流下する遊技球を受け入れて、遊技球転動部へと案内する流入路を備えたところに特徴を有する。
【００２６】
請求項２１の発明は、請求項１乃至２０の何れかに記載の弾球遊技機において、前面側を遊技球が流下する遊技板を備え、遊技板の一部に切除して前面側が開放した凹部室を形成し、その凹部室の内側下部に遊技球転動部を配置したところに特徴を有する。
【００２７】
請求項２２の発明に係る弾球遊技機は、遊技球が転動可能な遊技球転動部と、遊技球転動部から排出されて流下した遊技球が入球可能であり、遊技球の入球に応じて遊技の特典を付与する入賞装置と、遊技球が一端から他端へと通過可能な移動排出補助孔を有し、遊技球転動部に対して受入許容位置と受入規制位置との間を移動する移動部材とを備えた弾球遊技機において、遊技球転動部には、遊技球転動部を転動した遊技球が移動排出補助孔を通過して遊技球転動部から排出される第１排出路と、遊技球転動部を転動した遊技球が移動排出補助孔を通過せずに遊技球転動部から排出される第２排出路とが備えられ、移動部材は、遊技球転動部を転動した遊技球の移動排出補助孔への受け入れを許容する受入許容位置と、移動移動排出補助孔への受け入れを規制する受入規制位置との間で移動するところに特徴を有する。
【００２８】
請求項２３の発明は、請求項２２に記載の弾球遊技機において、第１排出路及び第２排出路は、遊技球を遊技の特典を付与可能な装置に誘導するところに特徴を有する。
【発明の効果】
【００２９】
［請求項１の発明］
請求項１の構成では、遊技球転動部における低確率排出部から遊技球が排出される場合に比べて、遊技球転動部における高確率排出部から遊技球が排出された場合の方が入賞装置への入球確率が高くなり、高確率排出部に遊技球が入球するか否かに遊技の関心を集めることができる。そして、移動部材が受入許容位置にあるか受入規制位置にあるかに応じて、移動部材の移動排出補助孔を経由して遊技球が高確率排出部から排出される或いは遊技球がそれ以外の経路を経由して低確率排出部から排出されるかに分かれる。このように、本発明によれば、移動部材の位置に応じて遊技球の動作が変わり遊技球の動作の多様化が図られる。しかも、移動部材を高確率排出部自体に備えたことで、遊技球転動部に進入した遊技球が高確率排出部に向かって転動する転動動作を従来より長く楽しむことができる。
【００３０】
［請求項２の発明］
請求項２の構成によれば、移動部材の少なくとも一部を、高確率排出部に備えた高確率遊技球通路の内部に収容したので省スペース化が図られると共に、移動部材の移動排出補助孔に受け入れられた遊技球は、移動排出補助孔における遊技球の排出口が、高確率遊技球通路内に配置されたので、移動排出補助孔から高確率遊技球通路へと確実に遊技球を受け渡すことができる。
【００３１】
［請求項３〜５の発明］
移動部材は、受入規制位置で遊技球をランダムに振り分ける構成にしてもよいし、請求項３の構成のように、遊技球を高確率遊技球通路以外の位置に案内する構成にしてもよい。これにより、移動部材が受入許容位置にある場合には、遊技球が高確率遊技球通路を通過して入賞装置に入賞することを期待させることができる。また、移動部材を、遊技球の自重によって受入許容位置と受入規制位置との間で移動する構成にしてもよいし、請求項４の構成のように、電気的駆動源で移動部材を受入許容位置と受入規制位置との間で移動する構成にしてもよい。
【００３２】
また、電気的駆動源により、移動部材を上下動させてもよいし、左右方向に往復動させてもよいし、一方向に回転又は往復回動させてもよい。移動部材を上下動させる場合には、受入規制位置と受入許容位置との何れを上側にしてもよい。ここで、受入規制位置を上側とし、受入許容位置を下側にした場合には、例えば、請求項１９の構成のように、移動部材が受入規制位置に位置したときに、移動排出補助孔への遊技球の受入口が遊技球転動部より上方に配置される一方、移動部材が受入許容位置に位置したときに、移動排出補助孔への遊技球の受入口が遊技球転動部と同一又は遊技球転動部より低い位置に配置されるようにすればよい。また、移動部材を上下動させる場合には、移動部材が上下ストロークのうち所定の位置のみで移動排出補助孔から遊技球を排出可能としてもよい。例えば、請求項５の発明のように、移動部材が上下ストロークの最下限位置に至ったときにのみ、移動排出補助孔から遊技球を排出可能としてもよい。さらに、電気的駆動源により移動部材を一定速度で上下動、左右方向への往復動、一方向への回転又は往復回動させると、遊技球を高確率排出部から一定のタイミングで間欠的に排出することができる。
【００３３】
［請求項６の発明］
移動部材が上下動しかつ受入許容位置より受入規制位置が上方に配置された具体的な構成として請求項６の構成によれば、上下動可能な筒状の移動部材が受入許容位置に至ると、移動部材の上端面が高確率排出部始端口の周縁部に対して面一又は下方に位置し、遊技球が移動排出補助孔に受け入れ可能となり高確率排出部に案内される。一方、移動部材が受入規制位置に至ると、移動部材の上端面が高確率排出部始端口の周縁部より上方に位置して移動排出補助孔への遊技球の入球及び高確率排出部からの排出が規制される。これにより、遊技者は、上下動している移動部材に対する転動中の遊技球の位置から、転動中の遊技球が移動部材に入球するか否かを推測することができる。
【００３４】
［請求項７の発明］
移動部材が上下動しかつ受入許容位置より受入規制位置が上方に配置された別の具体的な構成として請求項７の構成によれば、上下動可能な移動部材が受入許容位置に至ると、移動部材の上端部に備えたフランジ部の上面が、高確率排出部始端口の周縁部に対して面一又は下方に位置し、遊技球が移動排出補助孔に受け入れ可能となり、高確率排出部に案内される。一方、移動部材が受入規制位置に至ると、フランジ部が高確率排出部始端口の周縁部より上方に離間し、遊技球が筒部と高確率排出部始端口の周縁部との間の通過して低確率排出部としての低確率遊技球通路に案内される。これにより、遊技球の転動動作を多彩にすることができる。
【００３５】
［請求項８の発明］
移動部材が上下動しかつ受入許容位置より受入規制位置が下方に配置された別の具体的な構成として請求項８の構成によれば、上下動可能な筒状の移動部材が受入許容位置に至ると、移動部材の上端面が高確率排出部始端口の周縁部に対して面一又は下方に位置し、遊技球が移動排出補助孔に受け入れ可能となり高確率排出部に案内される。一方、移動部材が受入規制位置に至ると、移動部材の上端面が高確率排出部始端口の周縁部より下方に離間し、遊技球が移動部材の上端面と板状壁部の下面との間の通過して低確率排出部としての低確率遊技球通路に案内される。これにより、遊技球の転動動作を多彩にすることができる。
【００３６】
［請求項９の発明］
移動部材を上下動させる電気的駆動源としてモータを用いた場合の具体的な構成として請求項９の構成のように、モータの回転出力を移動部材の直動運動に変換する運動変換機構に、モータによって駆動されるモータ回転出力部材と移動部材とに両端部を回転可能にピンにて連結されかつ、少なくとも一端部にピンをスライド可能に収容する長孔を備えたリンク部材を備えた構成にすればよい。これにより、モータで移動部材を直動させることが可能となる。
【００３７】
［請求項１０の発明］
請求項１０の構成では、ガイド部によって移動部材の上下動の動作が安定する。
【００３８】
［請求項１１の発明］
移動部材が略水平方向を向いた回動軸を中心に回動する具体的な構成として請求項１１の構成では、回転可能な移動部材に移動排出補助孔が貫通形成され、移動部材が受入許容位置に至ると、移動部材の周面における移動排出補助孔の何れか一方の開口が、高確率排出部始端口と対向し、遊技球が移動排出補助孔に受け入れ可能となり高確率排出部に案内される。一方、移動部材が受入規制位置に至ると、移動部材の周面における移動排出補助孔の開口以外の壁部が高確率排出部始端口を閉じ、これにより移動排出補助孔への遊技球の入球及び高確率排出部からの排出が規制される。また、移動部材が回動軸を中心に回動するので、移動部材が直動する場合より移動スペースを小さくすることができる。
【００３９】
［請求項１２の発明］
移動部材が略水平方向を向いた回動軸を中心に回動する別の具体的な構成として請求項１２の構成では、移動部材には奥側が閉じられた移動排出補助孔が形成され、移動部材が受入許容位置に至ると、移動排出補助孔における出入共通口が、高確率排出部始端口と対向し、遊技球が移動排出補助孔に受け入れられ、移動部材が回転して遊技球が出入共通口から高確率排出部へと案内される。一方、移動部材が受入規制位置に至ると、移動部材の周面における移動排出補助孔の出入共通開口以外の壁部が高確率排出部始端口を閉じ、これにより移動排出補助孔への遊技球の入球及び高確率排出部からの排出が規制される。また、移動部材を一定速度で回動させると、受入許容位置と受入規制位置との間を一定間隔で移動することができる。
【００４０】
［請求項１３の発明］
移動部材が略水平方向で往復動する具体的な構成として請求項１３の構成では、移動排出補助孔が移動部材に貫通形成され、移動部材が受入許容位置に至ると、移動部材の周面における移動排出補助孔の何れか一方の開口が、高確率排出部始端口と対向し、遊技球が移動排出補助孔に受け入れ可能となり高確率排出部に案内される。一方、移動部材が受入規制位置に至ると、移動部材の周面における移動排出補助孔の開口以外の壁部が高確率排出部始端口を閉じ、これにより移動排出補助孔への遊技球の入球及び高確率排出部からの排出が規制される。また、遊技球を受け入れ可能な状態と遊技球を排出可能な状態とを交互に繰り返すことができる。
【００４１】
［請求項１４の発明］
請求項１４の構成によれば、移動部材が受入規制位置に至り、高確率排出部始端口が閉じられた状態で、遊技球が高確率排出部始端口内に保持される。そして、その遊技球に他の遊技球が衝突して高確率排出部始端口から押し出され得るが、他の遊技球が衝突しなければ、移動部材が受入許容位置に至って高確率排出部始端口が開かれたときに、その遊技球は高確率排出部から排出され、入賞装置への入球確率が高くなる。これにより、遊技球転動部における遊技球の動作に対する興味をさらに喚起することができる。
【００４２】
［請求項１５の発明］
請求項１５の構成のように、遊技球転動部を第１転動領域と第２転動領域とに区画することで遊技球の動作を多様化させることができる。
【００４３】
［請求項１６及び１７の発明］
請求項１６及び１７の構成では、低確率排出部の一部に誘導排出溝を設けたことにより、低確率排出部のうち誘導排出溝とそれ以外の部位との間で遊技球の排出経路が分かれ、遊技球の動作のさらなる多様化が可能になる。
【００４４】
［請求項１８の発明］
請求項１８の構成によれば、高確率遊技球通路の高確率排出部終端口を、入賞装置の真上に配置したことにより、高確率遊技球通路を通過した遊技球が入賞装置に入球する確率を高くすることができる。
【００４５】
［請求項１９の発明］
請求項１９の構成によれば、移動部材に受入可能な状態と受入不可能な状態とを分けたので、入賞装置への入賞率を調整することができる。
【００４６】
［請求項２０の発明］
請求項２０の構成のように、遊技球転動部の上方側を流下する遊技球を受け入れて、遊技球転動部へと案内する流入路を設けることで、遊技球の動作をさらに多様化することができる。
【００４７】
［請求項２１の発明］
請求項２１の構成によれば、凹部室の内側下部にて遊技球転動部を立体的に配置することができる。
【００４８】
［請求項２２の発明］
請求項２２の構成によれば、移動部材が受入許容位置にあるか受入規制位置にあるかに応じて、遊技球転動部を転動した遊技球が第１排出路或いは第２排出路から排出されるかに分かれる。このように、本発明によれば、移動部材の位置に応じて遊技球の動作が変わり遊技球の動作の多様化が図られる。しかも、移動部材自体が第１排出路の少なくとも一部を構成しているので、遊技球転動部に進入した遊技球が第１排出路に向かって転動する動作を従来より長く楽しむことができる。
【００４９】
［請求項２３の発明］
請求項２３の構成によれば、第１排出路及び第２排出路から排出された遊技球が、遊技の特典を付与可能な装置に入賞する期待を高めることができる。
【図面の簡単な説明】
【００５０】
【図１】パチンコ遊技機の正面図
【図２】表示装置とその周辺の部分斜視図
【図３】遊技球転動部とその周辺の部分分解斜視図
【図４】凹部室の内側下面の平面図
【図５】移動部材が受入許容位置にある場合の表示装置とその周辺の正面図
【図６】移動部材が受入規制位置にある場合の表示装置とその周辺の正面図
【図７】パチンコ遊技機の電気的構成を示すブロック図
【図８】本発明の第２実施形態に係る装飾枠の下辺部とその周辺の部分分解斜視図
【図９】（Ａ）移動部材が受入許容位置にある場合の移動部材とその周辺部の部分断面図、（２）移動部材が上昇して受入規制位置に至った場合の移動部材とその周辺部の部分断面図、（３）移動部材がさらに上昇した場合の移動部材とその周辺部の部分断面図
【図１０】表示装置とその周辺の部分斜視図
【図１１】本発明の第３実施形態に係る装飾枠の下辺部とその周辺の分解斜視図
【図１２】（Ａ）移動部材が受入許容位置にある場合の表示装置の下部の部分正面図、（Ｂ）移動部材が受入規制位置にある場合の表示装置の下部の部分拡大正面図
【図１３】本発明の第４実施形態に係る装飾枠の下辺部とその周辺の分解斜視図
【図１４】（Ａ）移動部材が受入許容位置にある場合の表示装置の下部の部分正面図、（Ｂ）移動部材が受入規制位置にある場合の表示装置の下部の部分拡大正面図
【図１５】本発明の第５実施形態に係る装飾枠の下辺部とその周辺の分解斜視図
【図１６】（Ａ）移動部材が受入許容位置にある場合の表示装置の下部の部分正面図、（Ｂ）移動部材が受入規制位置にある場合の表示装置の下部の部分拡大正面図
【図１７】本発明の第６実施形態に係る装飾枠の下辺部とその周辺の分解斜視図
【図１８】移動部材挿通孔とその周辺の部分拡大断面図
【図１９】（Ａ）移動部材が受入許容位置にある場合の移動部材挿通孔とその周辺の部分平面図、（Ｂ）移動部材が受入規制位置にある場合の移動部材挿通孔とその周辺の部分平面図
【図２０】本発明の第７実施形態に係る装飾枠の下辺部とその周辺の分解斜視図
【図２１】（Ａ）移動部材が受入許容位置にある場合の移動部材挿通孔とその周辺の部分断面図、（Ｂ）移動部材が受入規制位置にある場合の移動部材挿通孔とその周辺の部分断面図
【発明を実施するための形態】
【００５１】
［第１実施形態］
以下、本発明を適用したパチンコ遊技機に係る一実施形態を、図１〜図７に基づいて説明する。図１に示すように、本実施形態のパチンコ遊技機１０の遊技板１１には、ガイドレール１２で囲まれた略円形の遊技領域Ｒ１が備えられている。また、パチンコ遊技機１０のうち遊技板１１より下方には、上皿１９Ａ及び下皿１９Ｂが上下２段にして設けられ、下皿１９Ｂの右端部に備えた操作ノブ２８を操作することで、上皿１９Ａに収容された遊技球がガイドレール１２に案内されて遊技領域Ｒ１の上端部に打ち込まれる。
【００５２】
遊技領域Ｒ１における中央には表示装置３０が備えられ、表示装置３０の下方には、第１及び第２の始動入賞口１４Ａ，１４Ｂ、大入賞口１５及び外れ球受け入れ口１６が、上から順に間隔を開けて並べて設けられている。また、大入賞口１５の左右両側には、１対の一般入賞口２１，２１が設けられ、始動入賞口１４の左右両側には、始動ゲート１８，１８、一般入賞口２０，２０がそれぞれ左右対称に設けられている。さらに、一般入賞口２０，２０の上方には風車１７，１７がそれぞれ設けられ、各風車１７の側方にはサイドドランプ２２，２２が備えられている。これら役物以外に遊技領域Ｒ１全体に亘って複数の障害釘１３Ａが備えられている。
【００５３】
上記始動ゲート１８は、遊技球が内側を通過可能な門形構造をなし、通過した遊技球は始動ゲート１８に内蔵された普通図柄始動スイッチによって検出される。この検出信号に基づいて、表示装置３０の液晶表示画面３４に一角部に備えた普通図柄表示部１８Ｈにおいて図柄が変動表示される。具体的には、「０」〜「９」までの数字からなる数字図柄が所定期間に亘って変動表示された後、所定の数字図柄が停止表示される。
【００５４】
図２に示すように、第１及び第２の始動入賞口１４Ａ，１４Ｂは、遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に取り込まれる。すると、これが検出スイッチによって検出されて、所定数の賞球が上皿１９Ａ（図１参照）に払い出される。なお、一般入賞口２０，２１（図１参照）もポケット構造をなし、入球し対して所定数の賞球が上皿１９Ａに払い出される。
【００５５】
第１の始動入賞口１４Ａは、遊技球が１つだけ入る開口幅を有している。また、第１の始動入賞口１４Ａの上方には、遊技球が１つだけ通過可能な間隔を開けて１対の命釘１３Ｂ，１３Ｂが左右に並べて設けられ、これら１対の命釘１３Ｂ，１３Ｂの間の領域と第１の始動入賞口１４Ａの開口とが上下に並んでいる。
【００５６】
第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００５７】
第１又は第２の何れかの始動入賞口１４Ａ，１４Ｂに遊技球が入賞すると、上述の如く所定数の遊技球が上皿１９Ａに払い出されると共に、表示装置３０において図柄が変動表示される。具体的には、図１に示すように表示装置３０に備えた液晶表示画面３４には、通常、３つの左、中、右の特別図柄３０Ａ，３０Ｂ，３０Ｃが横並びに表示されている。これら各特別図柄３０Ａ，３０Ｂ，３０Ｃは、例えば、「０」〜「１１」の数字を表記した複数種類のもので構成されており、通常は、各特別図柄３０Ａ，３０Ｂ，３０Ｃごと、所定の種類のものが停止表示されている。そして、始動入賞口１４に遊技球が入賞したときに、これら３つの特別図柄３０Ａ，３０Ｂ，３０Ｃが、上下方向にスクロール表示され、所定時間後に、例えば、左、右、中の順で各特別図柄３０Ａ，３０Ｃ，３０Ｂが停止表示される。このとき、中特別図柄３０Ｂがスクロール表示されている状態で、先に停止表示された左・右の特別図柄３０Ａ，３０Ｃが、同じ図柄となった場合に「リーチ状態」が成立する。すると、次述する「大当たり状態」になる確率が高くなる。また、全ての特別図柄３０Ａ，３０Ｂ，３０Ｃが同じ図柄、即ち、ぞろ目になった場合に、遊技が「大当たり状態」になる。
【００５８】
なお、液晶表示画面３４において特別図柄３０Ａ，３０Ｂ，３０Ｃが変動表示又は「大当たり状態」の最中に始動入賞口１４に入賞した場合、その入賞球は最大で４個まで保留記憶され、特別図柄３０Ａ，３０Ｂ，３０Ｃが停止表示又は「大当たり状態」が終了すると、その保留記憶に基づいて再び、特別図柄３０Ａ，３０Ｂ，３０Ｃが変動表示される。
【００５９】
大入賞口１５は、横長矩形に形成されて、常には、可動扉１５Ｔにて閉塞されている。パチンコ遊技機１０が「大当たり状態」になると、遊技板１１の裏に設けたソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００６０】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿１９Ａに払い出される。
【００６１】
表示装置３０は、図２に示すように、全体として枠形構造をなした装飾枠３２の後端面に液晶モジュール（詳細には、ＴＦＴ−ＬＣＤモジュール）を組み付けてなる。液晶モジュールのうち、装飾枠３２に取り囲まれた前面部分が上記した液晶表示画面３４となっており、遊技者は、装飾枠３２を通して液晶表示画面３４に表示された画像を見ることができる。また、装飾枠３２と液晶表示画面３４とに囲まれた空間が、本発明の凹部室３２Ｒを構成している。
【００６２】
装飾枠３２は、遊技板１１に形成された図示しない取付窓に嵌め込まれて固定されている。装飾枠３２の上辺部３２Ａは、遊技板１１から前方に突出し、装飾枠３２の上辺部３２Ａと遊技領域Ｒ１の前方を覆う前面ガラス板１１Ｇとの間の隙間に遊技球が通過できないようになっている。これにより、液晶表示画面３４の前側を遊技球が流下することが規制されると共に、装飾枠３２の上方から装飾枠３２の内側へ遊技球が直接進入しないように規制されている。
【００６３】
装飾枠３２の両側辺部３２Ｂ，３２Ｂと前面ガラス板１１Ｇとの間には、遊技球が通過可能な間隔が設けられている。これにより、例えば、障害釘１３Ａ（図１参照）で弾かれた遊技球が装飾枠３２の側方から装飾枠３２内に進入することができる。
【００６４】
装飾枠３２の下辺部３２Ｃと前面ガラス板１１Ｇとの間には、遊技球が通過可能な間隔が設けられている。これにより、装飾枠３２内に進入した遊技球は、装飾枠３２の下辺部３２Ｃから装飾枠３２の下方に流下することができる。
【００６５】
装飾枠３２の下辺部３２Ｃのうち装飾枠３２の内側に位置した部分は、本発明に係る遊技球転動部４０になっている。遊技球転動部４０は、装飾枠３２の奥行き方向で１対の転動ステージ４１，４２に分けられ、前側の転動ステージ４２（本発明に係る「第２転動領域」に相当する。以下、下段転動ステージ４２という）が、奥側の転動ステージ４１（本発明に係る「第１転動領域」に相当する。以下、上段転動ステージ４１という）より段付状に低くなっている。また、上段転動ステージ４１は、遊技球１つの直径より若干広い幅をなして装飾枠３２の左右方向に延び、下段転動ステージ４２は、遊技球の直径の２倍以上の幅をなして左右方向に延びている。そして、下段転動ステージ４２の後縁部に突設された規制板４７が、下段転動ステージ４２の後縁から遊技球が落下するのを防止している。
【００６６】
詳細には、図３に示すように、下段転動ステージ４２は、全体として左右方向の中央が最も低くなるように凹状に湾曲すると共に、僅かに前側に向かって下っている。これにより、下段転動ステージ４２を転動した遊技球は、例えば、下段転動ステージ４２を左右に往復動しながら前側に徐々に移動する。また、下段転動ステージ４２の前縁部のうち左右方向の両端部には、流下防止壁４２Ａが形成されてここから遊技球の流下が防がれている。これに対し、下段転動ステージ４２の前縁部における中央部分は、流下防止壁４２Ａを有さず、本発明に係る低確率排出部５３を構成し、ここから遊技球転動部４０の下方に遊技球が流下可能になっている。
【００６７】
低確率排出部５３のうち左右方向の中心には、本発明にかかる誘導排出溝４２Ｂが形成されている。誘導排出溝４２Ｂは、下段転動ステージ４２の一部を凹状に湾曲させて僅かに窪ませた溝構造をなし、下段転動ステージ４２の幅方向（奥行き方向）の中間部から前縁部に向かって徐々に幅が広がっている。そして、誘導排出溝４２Ｂは、第１の始動入賞口１４Ａの真上に位置し、低確率排出部５３の中でも誘導排出溝４２Ｂを通過して下段転動ステージ４２から流下した遊技球は、第１及び第２の始動入賞口１４Ａ，１４Ｂに入球する確立が高くなる。なお、低確率排出部５３のうち誘導排出溝４２Ｂ以外の部位が、本発明にかかる一般低確率排出部４２Ｄとなる。
【００６８】
上段転動ステージ４１は、左右方向（上段転動ステージ４１の長手方向）の中央部と両端部とが僅かに高くなっており、中央部と各端部との間が緩やかに湾曲して凹状になっている。
【００６９】
上段転動ステージ４１の前縁部からは、流下防止壁４１Ｂが上方に突出している。流下防止壁４１Ｂは、上段転動ステージ４１のうち比較的高くなった部分、即ち、左右方向の中央部と両端部とに形成され、上段転動ステージ４１のうち比較的低くなった部分、即ち、左右方向における中央部と各端部との中間には、流下防止壁４１Ｂを切除して流下許容開口４１Ｃが形成されている。これにより、流下許容開口４１Ｃを通して上段転動ステージ４１から下段転動ステージ４２へと遊技球が流下可能になっている。
【００７０】
装飾枠３２の両側辺部３２Ｂ，３２Ｂには、案内ダクト４６，４６が備えられている。各案内ダクト４６は、一端側が水平方向に延びて装飾枠３２の外側に向かって開口していると共に、他端側が上段転動ステージ４１の端部に開口している。これにより、遊技領域Ｒ１を流下する遊技球を案内ダクト４６の一端側から受け入れて他端側から排出し、上段転動ステージ４１に遊技球を供給することができる。
【００７１】
さて、遊技球通路４５は、移動部材４３と水平排出路４４とからなる。移動部材４３は、図３に示すように、縦長の円筒状に形成されて、その内部空間が本発明の移動排出補助孔４３Ａとなっている。そして、移動部材４３の上端面に開放した受入口４３Ｂが形成されていると共に、移動部材４３の下端部の前面側に遊技球が丁度１個通過可能な大きさに開放した排出口４３Ｃが形成されており、受入口４３Ｂから流入した遊技球が移動排出補助孔４３Ａを通って排出口４３Ｃから排出可能になる。ここで、移動部材４３の内部空間の下端部には、遊技球を前面側に案内可能な案内リブ４３Ｅ（図４参照）が設けられているので、遊技球を移動排出孔３４Ａからスムーズに排出することができる。
【００７２】
移動部材４３の下端部の後面側には、連結円柱４３Ｄ（本発明の「ピン」に相当する）が一体形成されている。この連結円柱４３Ｄは、案内板４８に設けられた縦長スリット４８Ｓに挿通されている。この案内板４８は、図４に示すように、上段転動ステージ４１から後方に向けて突設され、中間位置で下向きに直角曲げされると共に、その直角曲げされた部位に縦長スリット４８Ｓが貫通形成されている。そして、連結円柱４３Ｄの先端部が、図３に示すリンク部材４９に設けられた１対の長孔４９Ａ，４９Ａのうち一方に挿入されている。また、リンク部材４９の他方の長孔４９Ａには、クランク軸部５０（本発明の「モータ回転出力部材」に相当する）の先端部（本発明の「ピン」に相当する）が挿入されて、リンク部材４９を介して移動部材４３とクランク軸部５０とが結合されている。
【００７３】
クランク軸部５０は、クランク状に形成された丸棒であって、両端部が前後方向に延びている。そして、クランク軸部５０の基端部が、モータ５１の前端面から前方に向けて延びる回動シャフト５１Ａに嵌合されて一体回転可能となっており、モータ５１が作動して回動シャフト５１Ａが回動するとクランク軸部５０の先端部が円運動する。クランク軸部５０の先端部が円運動すると、連結円柱４３Ｄとクランク軸部５０とが、リンク部材４９の長孔４９Ａ，４９Ａ内で、クランク軸部５０の回動軸５１Ｂ（図４参照）と略平行なリンク回動軸と直交する方向にスライドする。これにより、リンク部材４９がリンク回動軸を中心に回動するのに従動して、移動部材４３が縦長スリット４８Ｓの範囲内で上下方向に往復移動する。このとき、移動部材４３は、規制板４７の後面に突設された１対のガイド部４７Ａ，４７Ａにより左右方向から挟まれているので、上下方向に安定して移動することができる。ここで、クランク軸部５０及びリンク部材４９が本発明の運動変換機構を構成している。
【００７４】
板状壁部４１Ａの中央部には、断面が移動部材４３の外径より僅かに大きい略円形をなしかつ、上方を向いて開口する移動部材挿通孔４１Ｄ（本発明の「高確率排出部始端口」に相当する）が形成されている。そして、その移動部材挿通孔４１Ｄに、移動部材４３が下側から挿入されて上下方向に往復移動可能となっている。具体的には、モータ５１が作動して移動部材４３が上下ストロークのうち最下限位置（図５参照）に至ると移動部材４３の上端面が板状壁部４１Ａの下面と略面一となる一方で、移動部材４３が上下ストロークのうち最上限位置（図６参照）に至ると移動部材４３の上端面が上段転動ステージ４１より上方に位置するようになる。これにより、移動部材４３は、受入口４３Ｂの周縁部が移動部材挿通孔４１Ｄの周縁部に対して面一又は下方に位置して受入口４３Ｂから移動排出補助孔４３Ａに遊技球を受け入れるのを許容する受入許容位置と、受入口４３Ｂの周縁部が移動部材挿通孔４１Ｄの周縁部より上方に位置して移動部材４３の側面が上段転動ステージ４１を転動する遊技球に当接し、受入口４３Ｂに遊技球が流入するのを規制する受入規制位置との間で移動可能となる。
【００７５】
また、移動部材４３が上下ストロークのうち最下限位置にある場合には、図５に示すように排出口４３Ｃと水平排出路４４の始端口４４Ａとが前後方向に重なり、移動排出補助孔４３Ａ内にある遊技球を水平排出路４４に排出可能となる。これに対し、移動部材４３が上下ストロークの最下限位置より上方に位置する場合には、図６に示すように、排出口４３Ｃの前方の一部又は全部が規制板４７の後面に覆われるので、移動排出補助孔４３Ａ内にある遊技球を排出口４３Ｃから排出することができない。
【００７６】
水平排出路４４は、装飾枠３２の下辺部３２Ｃのうち誘導排出溝４２Ｂの真下に形成され、前後方向に真っ直ぐに延びていると共に断面が遊技球を丁度１個だけ通過させることが可能な略矩形状に形成されている。そして、両端部が開放されて、後側が始端口４４Ａとなり、前側が終端口４４Ｂ（本発明の「高確率排出部終端口」に相当する）となっている。この終端口４４Ｂは、第１の始動入賞口１４Ａの真上にあって、装飾枠３２の下辺部３２Ｃの中央部、即ち誘導排出溝４２Ｂの排出口４２Ｃの真下において前向きに開放している。
【００７７】
このように、水平排出路４４は、誘導排出溝４２Ｂの排出口４２Ｃより第１の始動入賞口１４Ａに近い位置から遊技球を排出可能であると共に、誘導排出溝４２Ｂより遊技球の転動方向を安定させることが可能である。これにより、終端口４４Ｂから排出された遊技球は、排出口４２Ｃから排出された遊技球より第１の始動入賞口１４Ａに入球する確率が高くなっている。なお、一般低確率排出部４２Ｄは、第１の始動入賞口１４Ａの真上から左右方向にずれた位置に設けられている。このため、一般低確率排出部４２Ｄから排出された遊技球は、第１の始動入賞口１４Ａの真上に設けられている終端口４４Ｂ及び排出口４２Ｃから排出された遊技球より第１の始動入賞口１４Ａに入球する確率が低くなっている。
【００７８】
ここで、遊技球通路４５（即ち、移動部材４３と水平排出路４４）、移動部材挿通孔４１Ｄ及び終端口４４Ｂが、本発明の高確率排出部５２及び第１排出路（図３参照）となる。
【００７９】
次に、本実施形態のパチンコ遊技機１０の電気的な構成について説明する。図７の符号１００は、メイン制御回路１００であって、パチンコ遊技機１０全体を統括的に制御している。そして、そのメイン制御回路１００を補助するために、サブ制御回路１０１が備えられている。サブ制御回路１０１には、表示制御回路１０２、ランプ制御回路１０３及び音声制御回路１０４が接続されている。そして、サブ制御回路１０１は、メイン制御回路１００から付与された指令に基づいて詳細な指令を決定し、表示制御回路１０２、ランプ制御回路１０３及び音声制御回路１０４に付与する。これを受けて、表示制御回路が表示装置３０を制御し、音声制御回路１０４がスピーカ１３（図１参照）から音声を出力し、ランプ制御回路１０３がサイドランプ２２を点灯又は消灯させる。
【００８０】
また、メイン制御回路１００には、サブ制御回路１０１の他、払出制御回路１０６及び中継回路１０７が接続されている。そして、払出制御回路１０６により貸球払出装置１１０、発射装置１１１及び賞球払出装置１１２が制御されて、遊技球の貸し出し、発射、払い出しが行われる。また、中継回路１０７には、各種センサ１０８群、可動扉１５Ｔの扉駆動ソレノイド１５Ｓ及び移動部材４３を上下方向に往復移動させるモータ５１が接続されている。
【００８１】
本実施形態に係るパチンコ遊技機１０の構成は以上である。以下、その作用効果について説明する。発射操作ノブ２８を操作すると遊技球が発射されてガイドレール１２に沿って移動し、遊技領域Ｒ１の上部に打ち出されて遊技板１１の前面に配置された役物及び障害釘等に当接しながら遊技領域Ｒ１を流下する。そして、遊技領域Ｒ１を流下する遊技球の一部が障害釘１３Ａに案内されて案内ダクト４６に流入し、案内ダクト４６を通って上段転動ステージ４１の左右方向の端部に排出される。
【００８２】
上段転動ステージ４１に排出された遊技球は、上段転動ステージ４１の中央部において受入許容位置と受入規制位置との間で周期的に往復動している移動部材４３に向かって転動する。遊技球が上段転動ステージ４１を転動する間、遊技者は遊技球が移動部材挿通孔４１Ｄの周縁部に遊技球が到達した際の移動部材４３の位置が分かるまで、遊技球と移動部材４３とに注目する。
【００８３】
上段転動ステージ４１上を転動する遊技球が移動部材挿通孔４１Ｄの周縁部に到達した際に、移動部材４３が受入許容位置にある場合には、図５に示すように、遊技球が受入口４３Ｂを通って移動排出補助孔４３Ａ内に流入可能となる。移動排出補助孔４３Ａに流入した遊技球は、移動排出補助孔４３Ａを通って排出口４３Ｃから排出される。そして、排出口４３Ｃと前後方向に重なっている水平排出路４４の始端口４４Ａを通って水平排出路４４に転入し、水平排出路４４内を前方に向かって転動して終端口４４Ｂから排出される。即ち、移動排出補助孔４３Ａに流入した遊技球は、高確率排出部５２から排出される。
【００８４】
これに対して、遊技球が移動部材挿通孔４１Ｄの周縁部に到達した際に、移動部材４３が受入規制位置にある場合には、図６に示すように、遊技球が移動部材４３の側面に衝突して転動方向を変え、さらに上段転動ステージ４１上を左右方向に往復動する。そして、往復する間に、案内ダクト４６から他の遊技球が排出されると、先に上段転動ステージ４１に排出されて往復動していた遊技球が、後に上段転動ステージ４１に排出された遊技球に押されて再び移動部材挿通孔４１Ｄの周縁部に至ることがある。この際に移動部材４３が受入許容位置にあれば、両遊技球のうち少なくとも一方が移動排出補助孔４３Ａに流入する。そして、上段転動ステージ４１上で転動する遊技球のうちのうち、移動排出補助孔４３Ａに流入しなかったものは、流下許容開口４１Ｃを通って下段転動ステージ４２に落下する。下段転動ステージ４２に落下した遊技球は、下段転動ステージ４２上を転動して低確率排出部５３、即ち、一般低確率排出部４２Ｄ又は誘導排出溝４２Ｂから排出される。
【００８５】
このように、本実施形態のパチンコ遊技機１０では、移動部材４３の位置に応じて遊技球の動作が変わり遊技球の動作の多様化が図られる。しかも、移動部材４３を高確率排出部５２自体に備えたことで、遊技球転動部４０に進入した遊技球が高確率排出部５２に向かって転動する転動動作を従来より長く楽しむことができる。
【００８６】
［第２実施形態］
図８〜図１０は、本発明の第２実施形態を示す。本実施形態は、前記第１実施形態に対して高確率排出部１５２、低確率排出部１５３及び上段転動ステージ１４１の構成が異なっている。以下、低確率排出部１５３及び上段転動ステージ１４１のうち第１実施形態の高確率排出部５２、低確率排出部５３及び上段転動ステージ４１と同一の構成に関しては同一符号を付して重複説明を省略し、異なる構成に関してのみ説明する。
【００８７】
移動部材１４３は、図８に示すように上下方向に延びた筒部１４３Ｅと、その筒部１４３Ｅの上端部から側方に張り出したフランジ部１４３Ｆとを備えてなると共に、移動排出補助孔１４３Ａとしての筒部１４３Ｅの内部空間がフランジ部１４３Ｆの上方に開放している。また、筒部１４３Ｅは、下端側が開放している。この移動部材１４３の筒部１４３Ｅは、内部固定筒１４４の鉛直円筒部１４４Ｂに挿入されていると共に、下端側が開放されている。
【００８８】
内部固定筒１４４は、鉛直円筒部１４４Ｂと水平排出路１４４Ａとからなる。鉛直円筒部１４４Ｂは、一端有底の円筒状に形成され、その上端面が開放すると共に、図９に示すように板状壁部１４１Ａの移動部材挿通孔１４１Ｄに対して下方から間隔を開けて突き合わされている。また、鉛直円筒部１４４Ｂの側部のうち後側には、図８に示す縦割りスリット１４４Ｅが鉛直円筒部１４４Ｂの上下方向に亘って設けられている。この縦割りスリット１４４Ｅは、移動部材１４３の連結円柱１４３Ｄが挿通されている。そして、モータ５１が作動すると、移動部材１４３が縦割りスリット１４４Ｅを案内にして上下方向に往復動する。
【００８９】
鉛直円筒部１４４Ｂの下端部のうち前側には、水平排出路１４４Ａの後端部が取り付けられている。鉛直円筒部１４４Ｂと水平排出路１４４Ａとの接続部には、連通口１４４Ｄが設けられ、鉛直円筒部１４４Ｂの内部空間と水平排出路１４４Ａの内部空間とを連通している。
【００９０】
終端口４４Ｂを挟んで左右方向の両側には、１対の側方通路終端口５５Ａが設けられている。これら側方通路終端口５５Ａ，５５Ａの真下には、図１０に示すように、それぞれ始動ゲート１８が配置されている。また、これら側方通路終端口５５Ａ，５５Ａは、図８に示すように、水平排出路１４４Ａと略平行に延びる側方通路５５（本発明の「低確率遊技球通路」に相当する）の終端口となっており、側方通路５５の他端側が側方通路始端口５５Ｂとなっている。そして、板状壁部１４１Ａの下方に設けられた遊技球シュート５４上に落下した遊技球が側方通路始端口５５Ｂに案内され、側方通路５５を通って側方通路終端口５５Ａから排出可能な構成となっている。
【００９１】
上段転動ステージ１４１の前後方向の幅は、フランジ部１４３Ｆの前後方向の幅よりも広くなるように形成されている。また、この上段転動ステージ１４１の中央部に上向きに開放した移動部材挿通孔１４１Ｄは、フランジ部１４３Ｆが挿通可能に形成されている。ここで、移動部材１４３、内部固定筒１４４、移動部材挿通孔１４１Ｄ及び終端口４４Ｂが、本発明の高確率排出部１５２又は第１排出路となる。また、誘導排出溝４２Ｂ、一般低確率排出部４２Ｄ及び側方通路５５，５５が、本発明の低確率排出部１５３となる。
【００９２】
本実施形態のパチンコ遊技機１０の構成は以上である。以下、その作用効果について説明する。移動部材１４３が受入許容位置にある場合には、図９（Ａ）に示すように移動部材挿通孔１４１Ｄの周縁部に至った遊技球がフランジ部１４３Ｆの上面を通って受入口１４３Ｂから移動排出補助孔１４３Ａに流入可能となる。
【００９３】
これに対し、移動部材１４３が上昇して受入許容位置から受入規制位置に移動した場合は、図９（Ｂ）に示すように移動部材挿通孔１４１Ｄの周縁部に至った遊技球がフランジ部１４３Ｆの側部に当接し、移動部材挿通孔１４１Ｄへの流入が規制される。そして、さらに移動部材１４３が上昇すると、図９（Ｃ）に示すように移動部材挿通孔１４１Ｄの周縁部に至った遊技球がフランジ部１４３Ｆと当接しなくなり、遊技球がフランジ部１４３Ｆの下方を通過して、移動部材挿通孔１４１Ｄへの流入が許容される。移動部材挿通孔１４１Ｄに流入した遊技球は、遊技球シュート５４上に落下して側方通路終端口５５Ａから排出される。そして、側方通路終端口５５Ａから排出された遊技球が始動ゲート１８を潜って通過し、普通図柄表示部１８Ｈで停止表示された数字図柄が奇数となり第２の始動入賞口１４Ｂの両可動翼片１４Ｃ，１４Ｃが横に倒されると、側方通路５５以外の低確率排出部１５３、即ち、誘導排出溝４２Ｂ及び一般低確率排出部４２Ｄから排出された遊技球が第２の始動入賞口１４Ｂに入賞する確率が高まる。このように、本実施形態によれば、遊技球転動部４０における遊技球の転動経路のバリエーションを増やすことができる。
【００９４】
［第３実施形態］
図１１及び図１２は、本発明の第３実施形態を示す。本実施形態は、前記第１実施形態に対して高確率排出部５２及びモータ５１の構成が異なっている。以下、高確率排出部５２及びモータ５１のうち第１実施形態の高確率排出部５２及びモータ５１と同一の構成に関しては同一符号を付して重複説明を省略し、異なる構成に関してのみ説明する。
【００９５】
板状壁部４１Ａの下方には、図１１に示すように、移動部材２４３とモータ５１とが上段転動ステージ４１の長手方向に沿って並べられている。これら移動部材２４３とモータ５１との間は、モータ５１の一端側から略水平方向に延びる回動シャフト５１Ａで連結されている。これにより、モータ５１が作動して回動シャフト５１Ａが略水平方向を向いた回動軸５１Ｂを中心に回動するのに連動して、移動部材が回動軸５１Ｂを中心として回動可能となっている。
【００９６】
移動部材２４３は、回動軸５１Ｂの方向に延びた円柱状をなし、回動軸５１Ｂと直交する方向に貫通形成された移動排出補助孔２４３Ａが形成されている。そして、移動部材２４３が回動して受入許容位置に至ると、図１２（Ａ）に示すように移動排出補助孔２４３Ａの何れか一方の開口２４３Ｂが移動部材挿通孔４１Ｄと対向して、移動部材挿通孔４１Ｄから移動排出補助孔２４３Ａに遊技球を受け入れ可能となると共に、他方の開口２４３Ｂから移動排出補助孔２４３Ａ内の遊技球を排出可能となる。一方、移動部材２４３が回動して受入規制位置に至ると、図１２（Ｂ）に示すように移動部材２４３の周面のうち移動排出補助孔２４３Ａの開口２４３Ｂ，２４３Ｂを除いた壁部２４３Ｃが移動部材挿通孔４１Ｄと対向して移動部材挿通孔４１Ｄを塞ぐので、移動部材挿通孔４１Ｄを遊技球が通過するのを規制される。
【００９７】
移動部材２４３の下方には、図１１に示す遊技球シュート５６が設けられている。この遊技球シュート５６は、上面で受け止めた遊技球を水平排出路４４の始端口４４Ａに案内可能な構成となっている。なお、移動部材２４３、水平排出路４４、移動部材挿通孔４１Ｄ及び終端口４４Ｂが、本発明の高確率排出部２５２及び第１排出路となる。
【００９８】
本実施形態のパチンコ遊技機１０の構成は以上である。以下、その作用効果について説明する。移動部材２４３が回動して受入許容位置に至ると、図１２（Ａ）に示すように、移動部材挿通孔４１Ｄの周縁部に至った遊技球が移動排出補助孔２４３Ａの一方の開口２４３Ｂを通って移動排出補助孔２４３Ａに流入する。移動排出補助孔２４３Ａに流入した遊技球は、移動排出補助孔２４３Ａの他方の開口２４３Ｂから下方に落下して、遊技球シュート５６の上面に受け止められる。そして、遊技球が水平排出路４４の始端口４４Ａに案内されて、水平排出路４４を通って終端口４４Ｂから排出される。
【００９９】
これに対し、移動部材２４３が回動して受入規制位置に至ると、図１２（Ｂ）に示すように、移動部材２４３の壁部２４３Ｃと移動部材挿通孔４１Ｄとで囲まれた凹部５７が形成され、この凹部５７内に遊技球を保持可能となる。凹部５７に遊技球が保持された場合は、移動部材２４３が回動して受入許容位置に至ると移動排出補助孔２４３Ａに受け入れられる。また、移動部材２４３が受入許容位置となる前に、凹部５７に保持された遊技球に上段転動ステージ４１を転動する他の遊技球が衝突すると、例えば、凹部５７に保持された遊技球が他の遊技球を弾き返されたり、凹部５７に保持された遊技球が凹部５７から押し出されて他の遊技球が凹部５７に保持されたりする。このように、本実施形態によれば、遊技球転動部４０における遊技球の転動経路のバリエーションを増すことができる。
【０１００】
［第４実施形態］
図１３及び図１４は、本発明の第４実施形態を示す。本実施形態は、前記第３実施形態に対して移動部材３４３の構成が異なっている。以下、移動部材３４３のうち第３実施形態の移動部材２４３と同一の構成に関しては同一符号を付して重複説明を省略し、異なる構成に関してのみ説明する。
【０１０１】
移動排出補助孔３４３Ａは、図１３に示すように、移動部材３４３の外周面に回動軸５１Ｂと直交する方向に開けられており、奥側が閉じられて出入共通口３４３Ｂから遊技球を１球だけ受け入れ可能に構成されている。なお、移動部材３４３、水平排出路４４、移動部材挿通孔４１Ｄ及び終端口４４Ｂが、本発明の高確率排出部２５２及び第１排出路となる。
【０１０２】
本実施形態のパチンコ遊技機１０の構成は以上である。以下、その作用効果について説明する。移動部材３４３が回動して受入許容位置に至ると、図１４（Ａ）に示すように出入共通口３４３Ｂが移動部材挿通孔４１Ｄと対向して、遊技球を受け入れ可能となる。そして、移動排出補助孔３４３Ａが移動部材挿通孔４１Ｄの周縁部に至った遊技球を１つだけ受け入れると、次に移動部材挿通孔４１Ｄの周縁部に至った遊技球は、移動排出補助孔３４３Ａへの受け入れが規制される。そして、移動部材３４３が回動して受入規制位置となって図１４（Ｂ）に示すように出入共通口３４３Ｂが下向きになると、移動排出補助孔３４３Ａから遊技球を排出可能となる。このように、本実施形態によれば、遊技球の移動排出補助孔３４３Ａへの受け入れと、遊技球の移動排出補助孔３４３Ａからの排出とをタイミングをずらして行うことができる。
【０１０３】
［第５実施形態］
図１５及び図１６は、本発明の第５実施形態を示す。本実施形態は、前記第３実施形態に対して高確率排出部４５２及びソレノイド５８の構成が異なっている。以下、高確率排出部４５２及びソレノイド５８のうち第１実施形態の高確率排出部５２と同一の構成に関しては同一符号を付して重複説明を省略し、異なる構成に関してのみ説明する。
【０１０４】
板状壁部４１Ａの下方には、図１５に示すように、移動部材４４３とソレノイド５８とが上段転動ステージ４１の長手方向に沿って並べられている。これら移動部材４４３とソレノイド５８との間には、略水平方向に延びるプランジャ５９が配置されている。このプランジャは、圧縮コイルバネ６０に挿通され、一端側がソレノイド５８に挿入されかつ、他端側が移動部材４４３の一端側に固定されている。また、圧縮コイルバネ６０は、一端側がソレノイド５８に当接しかつ、他端側が移動部材４４３に当接している。これにより、移動部材４４３は、ソレノイド５８が停止すると圧縮コイルバネ６０の弾発力によりソレノイド５８から遠ざける方向に付勢されて受入許容位置に至る一方で、ソレノイド５８が作動するとプランジャ５９がソレノイド５８の内部に引き込まれるのに連動してソレノイド５８に近づく方向に付勢されて受入規制位置に至る。
【０１０５】
移動部材４４３は、略水平方向に延びて、内部空間が移動排出補助孔４４３Ａになり両端が閉塞された筒状をなす。そして、外周面の上側に移動排出補助孔４４３Ａへの遊技球の受入口４４３Ｂを有する一方、外周面の下側に移動排出補助孔４４３Ａからの遊技球の排出口４４３Ｃを備えている。この排出口４４３Ｃの下方には、落下防止板６１が配置されている。この落下防止板６１は、断面が移動部材４４３の形状に対応した円弧状に形成され、規制板４７の後方に固定されている。なお、移動部材４４３、水平排出路４４、移動部材挿通孔４１Ｄ及び終端口４４Ｂが、本発明の高確率排出部４５２及び第１排出路となる。
【０１０６】
本実施形態のパチンコ遊技機１０の構成は以上である。以下、その作用効果について説明する。圧縮コイルバネ６０の弾発力により移動部材４４３が受入許容位置に至ると、図１６（Ａ）に示すように受入口４４３Ｂが移動部材挿通孔４１Ｄと対向して、移動部材挿通孔４１Ｄから移動排出補助孔４４３Ａに遊技球を受け入れ可能となる。この移動排出補助孔４４３Ａに遊技球が２つ受け入れられると、次に移動部材挿通孔４１Ｄに入り込んだ遊技球は、移動排出補助孔４４３Ａへの受け入れが規制される。また、排出口４４３Ｃの下方が落下防止板６１により覆われて、移動排出補助孔４４３Ａから遊技球が落下するのが防がれている。これに対し、ソレノイド５８が作動して移動部材４４３が受入規制位置に至ると、図１６（Ｂ）に示すように移動部材４４３の上面うち受入口４４３Ｂを除いた壁部４４３Ｄが移動部材挿通孔４１Ｄと対向して移動部材挿通孔４１Ｄの下方を覆うので、遊技球が移動部材挿通孔４１Ｄを通過するのが規制される。また、排出口４４３Ｃの下方が開放されて、移動排出補助孔４４３Ａ内の遊技球を遊技球シュート５６に排出可能となる。このように、本実施形態によれば、遊技球の移動排出補助孔４４３Ａへの受け入れと、遊技球の移動排出補助孔４４３Ａからの排出とをタイミングをずらして行うことができる。
【０１０７】
［第６実施形態］
図１７〜図１９は、本発明の第６実施形態を示す。本実施形態は、前記第１実施形態に対して高確率排出部５５２及びモータ５１の構成が異なっている。以下、高確率排出部５５２及びモータ５１のうち第１実施形態の高確率排出部５２及びモータ５１と同一の構成に関しては同一符号を付して重複説明を省略し、異なる構成に関してのみ説明する。
【０１０８】
移動部材５４３は、図１７に示すように縦長の円筒状に形成され、内部空間が移動排出補助孔５４３Ａとなっている。そして、下端面が閉鎖されかつ下端部の側面に排出口５４３Ｃが設けられている。この移動部材５４３の上端面は開放されて受入口５４３Ｂが形成されている。また、移動部材５４３の上端面には、１対の規制突起５４３Ｄ，５４３Ｄが設けられている。この移動部材５４３は、図１８に示すように、板状壁部４１Ａの下側から挿入され、受入口５４３Ｂの周縁部が移動部材挿通孔４１Ｄの周縁部と略面一となりかつ、規制突起５４３Ｄが上段転動ステージ４１から上方に突出するように配置されている。
【０１０９】
移動部材５４３の真下には、図１７に示すように、モータ５１が配置されている。このモータ５１は、鉛直方向に延びる回動シャフト５１Ａを備え、その回動シャフト５１Ａの先端部が移動部材５４３の下端部に一体回転可能に連結されている。このモータ５１が作動すると鉛直方向に向いた回動軸５１Ｂを中心にして回動シャフト５１Ａが回動すると共に、回動シャフト５１Ａに連動して移動部材５４３が回動軸５１Ｂを中心にして回動する。
【０１１０】
移動部材５４３の下端部は、落下防止板６２で側方が覆われている。この落下防止板６２は、移動部材５４３の形状に応じて湾曲して形成され、移動部材５４３を跨いだ状態にして固定されている。なお、移動部材５４３、水平排出路４４、移動部材挿通孔４１Ｄ及び終端口４４Ｂが、本発明の高確率排出部５５２及び第１排出路となる。
【０１１１】
本実施形態のパチンコ遊技機１０の構成は以上である。以下、その作用効果について説明する。移動部材５４３が受入許容位置にある場合には、図１９（Ａ）に示すように、１対の規制突起５４３Ｄ，５４３Ｄが前後方向、即ち、板状壁部４１Ａの長手方向と直交する方向に並んだ状態となり、移動部材挿通孔４１Ｄの周縁部に至った遊技球を受入口５４３Ｂから移動排出補助孔５４３Ａに受け入れが可能となる。これに対し、移動部材５４３が受入許容位置から回動して受入規制位置にある場合には、図１９（Ｂ）に示すように、規制突起５４３Ｄが移動部材挿通孔４１Ｄの周縁部に至った遊技球に当接して、遊技球転動部４０を転動した遊技球の移動排出補助孔５４３Ａへの受け入れが規制される。
【０１１２】
また、移動排出補助孔５４３Ａに受け入れられた遊技球は、移動部材５４３が回動して排出口５４３Ｃと始端口４４Ａとが対向すると始端口４４Ａに排出され、水平排出路４４を通って終端口４４Ｂから排出される。そして、移動部材５４３が排出口５４３Ｃと始端口４４Ａとが対向する位置から離れると、排出口５４３Ｃが落下防止板６２で覆われて、遊技球が移動排出補助孔５４３Ａ内に貯留される。このように、本実施形態によれば、移動排出補助孔５４３Ａに受け入れた遊技球を排出するタイミングを調節することができる。
【０１１３】
［第７実施形態］
図２０及び図２１は、本発明の第７実施形態を示す。本実施形態は、前記第１実施形態に対して低確率排出部６５３の構成が異なっている。以下、低確率排出部６５３のうち第１実施形態の低確率排出部５３と同一の構成に関しては同一符号を付して重複説明を省略し、異なる構成に関してのみ説明する。
【０１１４】
水平排出路４４の左右方向の両側には、側方通路５５がそれぞれ設けられている。これら側方通路５５，５５は、前記第２実施形態の側方通路５５，５５と同じ構成なので説明は省略する。また、板状壁部４１Ａの下方には、図示しない遊技球シュートが設けられている。この遊技球シュート上に落下した遊技球は、遊技球シュートにより側方通路始端口５５Ｂに案内され、側方通路５５を通って側方通路終端口５５Ａから排出される。
【０１１５】
本実施形態のパチンコ遊技機１０の構成は以上である。以下、その作用効果について説明する。移動部材４３が受入許容位置にある場合には、図２１（Ａ）に示すように、移動部材４３の上端面、即ち、受入口４３Ｂの周縁部が移動部材挿通孔４１Ｄの周縁部に対して面一又は下方に位置し、移動部材挿通孔４１Ｄの周縁部に至った遊技球が移動排出補助孔４３Ａに流入可能となるとなる。
【０１１６】
これに対し、移動部材４３が下降して受入許容位置から受入規制位置に移動した場合は、図２１（Ｂ）に示すように、移動部材４３の上端面が移動部材挿通孔４１Ｄの下方に離間して、移動部材４３の上端面と板状壁部４１Ａの下面との間を遊技球が通過可能となる。そして、上段転動ステージ４１を転動した遊技球が移動部材挿通孔４１Ｄに流入すると、移動部材４３の側方を通って遊技球シュート上に落下し、側方通路終端口５５Ａから排出される。このように、本実施形態によれば、遊技球転動部４０における遊技球の転動経路のバリエーションを増やすことができる。ここで、遊技球が移動部材４３の側方を通って側方通路終端口５５Ａから排出されるまでの経路が、本発明の低確率遊技球通路となる。そして、低確率遊技球通路、誘導排出溝４２Ｂ及び一般低確率排出部４２Ｄが、本発明の低確率排出部６５３となる。なお、図２０では、低確率遊技球通路のうち側方通路５５のみを明示している。
【０１１７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１１８】
（１）前記各実施形態では、パチンコ遊技機１０に本発明を適用していたが、弾球遊技機であれば、アレンジボール等に備えてもよい。
【０１１９】
（２）前記第１，２，７の実施形態では、電気的駆動源としてのモータ５１を用いたが、ソレノイド等を用いてもよい。
【０１２０】
（３）前記第１，２，７の実施形態では、モータ５１の回転出力をクランク軸部５０等からなる運動変換機構により直動運動に変換していたが、モータ５１の回転出力をカム機構により直動運動に変換してもよい。
【０１２１】
（４）前記各実施形態では、移動部材挿通孔４１Ｄを上段転動ステージ４１の左右方向の中央に設けていたが、上段と下段の転動ステージ４１，４２の任意の場所に設けてもよい。また、移動部材挿通孔４１Ｄ及び移動部材４３を複数設けてもよい。このように、移動部材４３の配置を変更して、入賞装置への入賞率を調整してもよい。
【０１２２】
（５）前記第１，２，３，４，６及び７の実施形態において、ステッピングモータを用いて移動部材４３の移動量を調整してもよい。
【０１２３】
（６）前記各実施形態において、移動部材４３は、遊技中連続して移動させるようにしてもよいし、メイン制御回路１００から制御信号が送信された場合のみ移動するようにしてもよい。また、移動部材４３は、遊技の演出と関連して移動するようにしてもよい。この場合は、メイン制御回路１００からの制御信号を受信したサブ制御回路１０１から送信された制御信号に基づいて移動部材４３を移動させるのが望ましい。このように、移動部材４３の作動頻度を調整して入賞装置への入賞率を調整してもよい。
【０１２４】
（７）前記各実施形態において、移動部材４３は、内部に遊技球を受け入れ可能な形状であれば、円筒状に限らず任意の形状にしてもよい。
【０１２５】
（８）前記各実施形態において、移動部材４３は、その側面に当接した遊技球を所定の方向に案内可能な形状としてもよい。
【０１２６】
（９）前記第３と第４の実施形態では、移動部材挿通孔４１Ｄが円形であったが、移動部材挿通孔４１Ｄを略矩形状に形成し、その移動部材挿通孔４１Ｄから移動部材３４３を露出させた構成としてもよい。この場合は、移動部材挿通孔４１Ｄの周縁部が、移動部材３４３より上方にあるのが望ましい。
【０１２７】
（１０）前記各実施形態において、遊技球転動部４０は、入賞装置に遊技球が入賞可能な第１誘導路と、第１誘導路より入賞しにくい第２誘導路とを備える構成にしてもよい。
【０１２８】
（１１）本発明における高確率排出部と低確率排出部とでいう高低は、両排出部が入賞装置に入球する確率を相対的に比較したものである。
【０１２９】
（１２）前記第７実施形態では、移動部材４３の上端部にフランジ部を設けてもよい。
【符号の説明】
【０１３０】
１０    パチンコ遊技機（弾球遊技機）
１１    遊技板
１１Ｒ    凹部室
１４Ａ    第１の始動入賞口（入賞装置）
４０    遊技球転動部
４１    上段転動ステージ（第１転動領域）
４１Ａ    板状壁部
４１Ｄ，１４１Ｄ  移動部材挿通孔（高確率排出部始端口）
４２    下段転動ステージ（第２転動領域）
４２Ａ    流下防止突条
４２Ｂ    誘導排出溝
４２Ｃ    排出口
４２Ｄ    一般低確率排出部
４３,１４３,２４３,３４３,４４３,５４３    移動部材
４３Ａ，２４３Ａ，３４３Ａ，４４３Ａ，５４３Ａ    移動排出補助孔
４３Ｂ，４４３Ｂ，５４３Ｂ    受入口
４３Ｃ，４４３Ｃ，５４３Ｃ    排出口
４４Ｂ    終端口（高確率排出部終端口）
４５    遊技球通路（高確率遊技球通路）
４６    案内ダクト（流入路）
４７Ａ    ガイド部
４９    リンク部材
４９Ａ    長孔
５０    クランク軸部（モータ回転出力部材）
５１    モータ（電気的駆動源）
５１Ｂ    回動軸
５２,１５２,２５２,４５２,５５２    高確率排出部（第１排出路）
５３，１５３，６５３    低確率排出部（第２排出路）
５５    側方通路（低確率遊技球通路）
５８    ソレノイド（電気的駆動源）
１４３Ｅ    筒部
１４３Ｆ    フランジ部
３４３Ｂ    出入共通口
【図１】
2010264290.tif 000003
【図２】
2010264290.tif 000004
【図３】
2010264290.tif 000005
【図４】
2010264290.tif 000006
【図５】
2010264290.tif 000007
【図６】
2010264290.tif 000008
【図７】
2010264290.tif 000009
【図８】
2010264290.tif 000010
【図９】
2010264290.tif 000011
【図１０】
2010264290.tif 000012
【図１１】
2010264290.tif 000013
【図１２】
2010264290.tif 000014
【図１３】
2010264290.tif 000015
【図１４】
2010264290.tif 000016
【図１５】
2010264290.tif 000017
【図１６】
2010264290.tif 000018
【図１７】
2010264290.tif 000019
【図１８】
2010264290.tif 000020
【図１９】
2010264290.tif 000021
【図２０】
2010264290.tif 000022
【図２１】
2010264290.tif 000023
【手続補正書】
【提出日】平成22年8月26日(2010.8.26)
【手続補正１】
【補正対象書類名】特許請求の範囲
【補正対象項目名】全文
【補正方法】変更
【補正の内容】
【特許請求の範囲】
【請求項１】
遊技球が転動可能な遊技球転動部と、
前記遊技球転動部から排出されて流下した遊技球が入球可能であり、遊技球の入球に応じて遊技の特典を付与する入賞装置とを備えた弾球遊技機において、
前記遊技球転動部のうち遊技球の排出部には、前記入賞装置への入球確率が比較的高い高確率排出部と、比較的低い低確率排出部とが備えられ、
前記高確率排出部の始端口は、前記遊技球転動部の上面に配置されて上方に向かって開放し、
前記高確率排出部の始端口内に配置されて、その始端口の中心軸回りに回転する回転部材と、
前記回転部材から立ち上がって前記高確率排出部の始端口の上面より上方に突出し、前記回転部材と一体に回転することで、前記高確率排出部の始端口への遊技球の入球を規制する入球規制位置と前記高確率排出部の始端口への遊技球の入球を許容する入球許容位置との間を移動する規制突起とを設けたことを特徴とする弾球遊技機。
【請求項２】
前記回転部材は、前記高確率排出部の始端口に入球した遊技球を受け入れて流下させることが可能な筒状をなし、前記回転部材の上端面の一部から前記規制突起が突出していることを特徴とする請求項１に記載の弾球遊技機。
【請求項３】
前記高確率排出部には、前記始端口と、前記遊技球転動部を避けた位置で開口した前記高確率排出部の終端口と、それら始端口と終端口との間を連通した高確率遊技球通路とが備えられ、
前記回転部材は、少なくとも一部が前記高確率遊技球通路の内部に収容されると共に、前記回転部材内を流下した遊技球の排出口が、前記高確率遊技球通路内に配置されたことを特徴とする請求項２に記載の弾球遊技機。
【請求項４】
前記回転部材は、前記受入規制位置では、遊技球を前記高確率遊技球通路以外の位置に案内するように構成されたことを特徴とする請求項３に記載の弾球遊技機。
【請求項５】
前記回転部材を前記受入許容位置と前記受入規制位置との間で回転する電気的駆動源を備えたことを特徴とする請求項３又は４に記載の弾球遊技機。
【請求項６】
前記遊技球転動部を第１転動領域と第２転動領域とに区画し、前記第１転動領域から第２転動領域へと遊技球が転動可能であると共に、前記第２転動領域から第１転動領域への遊技球の転動が規制され、
前記高確率排出部の始端口が前記第１転動領域に開口する一方、前記高確率排出部の終端口が、前記第２転動領域への転動を避けた位置に開口し、
前記低確率排出部は、前記第２転動領域を転動した遊技球を受け入れて前記低確率排出部から前記遊技球転動部の外部に遊技球を排出するように構成されたことを特徴とする請求項３乃至５の何れか１の請求項に記載の弾球遊技機。
【請求項７】
前記第２転動領域に形成されて上方側が開放すると共に、前記第２転動領域の縁部に排出口を備えた誘導排出溝を前記低確率排出部の一部として設けたことを特徴とする請求項６に記載の弾球遊技機。
【請求項８】
前記第２転動領域の縁部には、遊技球の排出を規制する流下防止突条が形成され、
前記低確率排出部には、前記誘導排出溝とは別に設けられ、前記流下防止突条を排除して遊技球の排出を可能としかつ前記誘導排出溝より前記入賞装置への入球確率が低い一般低確率排出部が形成されたことを特徴とする請求項７に記載の弾球遊技機。
【請求項９】
前記高確率排出部の終端口を、前記入賞装置の真上に配置したことを特徴とする請求項３乃至８の何れか１の請求項に記載の弾球遊技機。
【請求項１０】
前記遊技球転動部の上方側を流下する遊技球を受け入れて、前記遊技球転動部へと案内する流入路を備えたことを特徴とする請求項１乃至９の何れか１の請求項に記載の弾球遊技機。
【請求項１１】
前面側を遊技球が流下する遊技板を備え、
前記遊技板の一部に切除して前面側が開放した凹部室を形成し、その凹部室の内側下部に前記遊技球転動部を配置したことを特徴とする請求項１乃至１０の何れか１の請求項に記載の弾球遊技機。
【手続補正２】
【補正対象書類名】明細書
【補正対象項目名】全文
【補正方法】変更
【補正の内容】
【発明の詳細な説明】
【技術分野】
【０００１】
本発明は、遊技球を遊技球転動部に転動させてから入賞装置に入賞させることが可能な弾球遊技機に関する。
【背景技術】
【０００２】
従来、この種の弾球遊技機の周知例として、遊技球転動部の中央に高確率案内路の上端開口を配置したものが知られている。これに対し、遊技球転動部における遊技球の動作を多様化させるために、遊技球転動部の両端寄り位置にそれぞれ凹部を形成し、各凹部内に設けた移動部材が降下したときに遊技球を移動部材の上面に受け入れ、上昇したときに移動部材から高確率案内路に遊技球を転動させる構成のものが知られている（例えば、特許文献１参照）。
【先行技術文献】
【特許文献】
【０００３】
【特許文献１】特開２００５−１３１０６０号公報（段落［００３３］、第３図）
【発明の概要】
【発明が解決しようとする課題】
【０００４】
しかしながら、上記した従来の弾球遊技機では、移動部材が上昇した状態では、遊技球が高確率案内路に入球しないことが即刻判明する。このため、移動部材が上昇すると遊技球の動作に対する興味が激減すると共に、高確率案内路に遊技球が向かって転動する転動動作自体も楽しむことができなくなる。
【０００５】
本発明は、上記事情に鑑みてなされたもので、遊技球転動部における遊技球の動作を多様化することができかつ遊技球の転動動作も従来より多く楽しむことが可能な弾球遊技機の提供を目的とする。
【課題を解決するための手段】
【０００６】
上記目的を達成するためになされた請求項１の発明に係る弾球遊技機は、遊技球が転動可能な遊技球転動部と、遊技球転動部から排出されて流下した遊技球が入球可能であり、遊技球の入球に応じて遊技の特典を付与する入賞装置とを備えた弾球遊技機において、遊技球転動部のうち遊技球の排出部には、入賞装置への入球確率が比較的高い高確率排出部と、比較的低い低確率排出部とが備えられ、高確率排出部の始端口は、遊技球転動部の上面に配置されて上方に向かって開放し、高確率排出部の始端口内に配置されて、その始端口の中心軸回りに回転する回転部材と、回転部材から立ち上がって高確率排出部の始端口の上面より上方に突出し、回転部材と一体に回転することで、高確率排出部の始端口への遊技球の入球を規制する入球規制位置と高確率排出部の始端口への遊技球の入球を許容する入球許容位置との間を移動する規制突起とを設けたところに特徴を有する。
【０００７】
請求項２の発明は、請求項１に記載の弾球遊技機において、回転部材は、高確率排出部の始端口に入球した遊技球を受け入れて流下させることが可能な筒状をなし、回転部材の上端面の一部から規制突起が突出しているところに特徴を有する。
【０００８】
請求項３の発明は、請求項２に記載の弾球遊技機において、高確率排出部には、始端口と、遊技球転動部を避けた位置で開口した高確率排出部の終端口と、それら始端口と終端口との間を連通した高確率遊技球通路とが備えられ、回転部材は、少なくとも一部が高確率遊技球通路の内部に収容されると共に、回転部材内を流下した遊技球の排出口が、高確率遊技球通路内に配置されたところに特徴を有する。
【０００９】
請求項４の発明は、請求項３に記載の弾球遊技機において、回転部材は、受入規制位置では、遊技球を高確率遊技球通路以外の位置に案内するように構成されたところに特徴を有する。
【００１０】
請求項５の発明は、請求項３又は４に記載の弾球遊技機において、回転部材を受入許容位置と受入規制位置との間で回転する電気的駆動源を備えたところに特徴を有する。
【００１１】
請求項６の発明は、請求項３乃至５の何れか１の請求項に記載の弾球遊技機において、遊技球転動部を第１転動領域と第２転動領域とに区画し、第１転動領域から第２転動領域へと遊技球が転動可能であると共に、第２転動領域から第１転動領域への遊技球の転動が規制され、高確率排出部の始端口が第１転動領域に開口する一方、高確率排出部の終端口が、第２転動領域への転動を避けた位置に開口し、低確率排出部は、第２転動領域を転動した遊技球を受け入れて低確率排出部から遊技球転動部の外部に遊技球を排出するように構成されたところに特徴を有する。
【００１２】
請求項７の発明は、請求項６に記載の弾球遊技機において、第２転動領域に形成されて上方側が開放すると共に、第２転動領域の縁部に排出口を備えた誘導排出溝を低確率排出部の一部として設けたところに特徴を有する。
【００１３】
請求項８の発明は、請求項７に記載の弾球遊技機において、第２転動領域の縁部には、遊技球の排出を規制する流下防止突条が形成され、低確率排出部には、誘導排出溝とは別に設けられ、流下防止突条を排除して遊技球の排出を可能としかつ誘導排出溝より入賞装置への入球確率が低い一般低確率排出部が形成されたところに特徴を有する。
【００１４】
請求項９の発明は、請求項３乃至８の何れか１の請求項に記載の弾球遊技機において、高確率排出部の終端口を、入賞装置の真上に配置したところに特徴を有する。
【００１５】
請求項１０の発明は、請求項１乃至９の何れか１の請求項に記載の弾球遊技機において、遊技球転動部の上方側を流下する遊技球を受け入れて、遊技球転動部へと案内する流入路を備えたところに特徴を有する。
【００１６】
請求項１１の発明は、請求項１乃至１０の何れか１の請求項に記載の弾球遊技機において、前面側を遊技球が流下する遊技板を備え、遊技板の一部に切除して前面側が開放した凹部室を形成し、その凹部室の内側下部に遊技球転動部を配置したところに特徴を有する。
【発明の効果】
【００１７】
［請求項１及び２の発明］
請求項１の構成では、遊技球転動部における低確率排出部から遊技球が排出される場合に比べて、遊技球転動部における高確率排出部から遊技球が排出された場合の方が入賞装置への入球確率が高くなり、高確率排出部に遊技球が入球するか否かに遊技の関心を集めることができる。そして、回転部材が受入許容位置にあるか受入規制位置にあるかに応じて、遊技球が高確率排出部から排出される或いは遊技球がそれ以外の経路を経由して低確率排出部から排出されるかに分かれる。このように、本発明によれば、回転部材の位置に応じて遊技球の動作が変わり遊技球の動作の多様化が図られる。しかも、回転部材を高確率排出部自体に備えたことで、遊技球転動部に進入した遊技球が高確率排出部に向かって転動する転動動作を従来より長く楽しむことができる。具体的には、移動部材が受入許容位置にある場合には、高確率排出部の始端口の縁部に至った遊技球がその始端口に入球する。これに対し、回転部材が受入規制位置にある場合には、規制突起が高確率排出部の始端口の縁部に至った遊技球と当接して、遊技球転動部を転動した遊技球の始端口への入球が規制される。そして、請求項２の発明によれば、始端口に入球した遊技球を筒状をなした回転部材内で流下させることができると共に、その回転部材の上端面から突出した規制突起によって高確率排出部の始端口への入球を規制することができる。
【００１８】
［請求項３の発明］
請求項３の構成によれば、回転部材の少なくとも一部を、高確率排出部に備えた高確率遊技球通路の内部に収容したので省スペース化が図られると共に、回転部材内を流下した遊技球の排出口が高確率遊技球通路内に配置されたので、回転部材から高確率遊技球通路へと確実に遊技球を受け渡すことができる。
【００１９】
［請求項４及び５の発明］
本発明に係る回転部材は、受入規制位置で遊技球をランダムに振り分ける構成にしてもよいし、請求項４の構成のように、遊技球を高確率遊技球通路以外の位置に案内する構成にしてもよい。これにより、回転部材が受入許容位置にある場合には、遊技球が高確率遊技球通路を通過して入賞装置に入賞することを期待させることができる。また、回転部材を、遊技球の自重によって受入許容位置と受入規制位置との間で回転する構成にしてもよいし、請求項５の構成のように、電気的駆動源で回転部材を受入許容位置と受入規制位置との間で回転する構成にしてもよい。
【００２０】
また、電気的駆動源により移動部材を一定速度で往復回動させると、遊技球を高確率排出部から一定のタイミングで間欠的に排出することができる。
【００２１】
［請求項６の発明］
請求項６の構成のように、遊技球転動部を第１転動領域と第２転動領域とに区画することで遊技球の動作を多様化させることができる。
【００２２】
［請求項７及び８の発明］
請求項７及び８の構成では、低確率排出部の一部に誘導排出溝を設けたことにより、低確率排出部のうち誘導排出溝とそれ以外の部位との間で遊技球の排出経路が分かれ、遊技球の動作のさらなる多様化が可能になる。
【００２３】
［請求項９の発明］
請求項９の構成によれば、高確率排出部の終端口を、入賞装置の真上に配置したことにより、高確率遊技球通路を通過した遊技球が入賞装置に入球する確率を高くすることができる。
【００２４】
［請求項１０の発明］
請求項１０の構成のように、遊技球転動部の上方側を流下する遊技球を受け入れて、遊技球転動部へと案内する流入路を設けることで、遊技球の動作をさらに多様化することができる。
【００２５】
［請求項１１の発明］
請求項１１の構成によれば、凹部室の内側下部にて遊技球転動部を立体的に配置することができる。
【図面の簡単な説明】
【００２６】
【図１】パチンコ遊技機の正面図
【図２】表示装置とその周辺の部分斜視図
【図３】装飾枠の下辺部とその周辺の分解斜視図
【図４】回転部材挿通孔とその周辺の部分拡大断面図
【図５】（Ａ）回転部材が受入許容位置にある場合の回転部材挿通孔とその周辺の部分平面図、（Ｂ）回転が受入規制位置にある場合の回転部材挿通孔とその周辺の部分平面図
【図６】パチンコ遊技機の電気的構成を示すブロック図
【発明を実施するための形態】
【００２７】
以下、本発明を適用したパチンコ遊技機に係る一実施形態を、図１〜図６に基づいて説明する。図１に示すように、本実施形態のパチンコ遊技機１０の遊技板１１には、ガイドレール１２で囲まれた略円形の遊技領域Ｒ１が備えられている。また、パチンコ遊技機１０のうち遊技板１１より下方には、上皿１９Ａ及び下皿１９Ｂが上下２段にして設けられ、下皿１９Ｂの右端部に備えた操作ノブ２８を操作することで、上皿１９Ａに収容された遊技球がガイドレール１２に案内されて遊技領域Ｒ１の上端部に打ち込まれる。
【００２８】
遊技領域Ｒ１における中央には表示装置３０が備えられ、表示装置３０の下方には、第１及び第２の始動入賞口１４Ａ，１４Ｂ、大入賞口１５及び外れ球受け入れ口１６が、上から順に間隔を開けて並べて設けられている。また、大入賞口１５の左右両側には、１対の一般入賞口２１，２１が設けられ、始動入賞口１４の左右両側には、始動ゲート１８，１８、一般入賞口２０，２０がそれぞれ左右対称に設けられている。さらに、一般入賞口２０，２０の上方には風車１７，１７がそれぞれ設けられ、各風車１７の側方にはサイドドランプ２２，２２が備えられている。これら役物以外に遊技領域Ｒ１全体に亘って複数の障害釘１３Ａが備えられている。
【００２９】
上記始動ゲート１８は、遊技球が内側を通過可能な門形構造をなし、通過した遊技球は始動ゲート１８に内蔵された普通図柄始動スイッチによって検出される。この検出信号に基づいて、表示装置３０の液晶表示画面３４に一角部に備えた普通図柄表示部１８Ｈにおいて図柄が変動表示される。具体的には、「０」〜「９」までの数字からなる数字図柄が所定期間に亘って変動表示された後、所定の数字図柄が停止表示される。
【００３０】
図２に示すように、第１及び第２の始動入賞口１４Ａ，１４Ｂは、遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に取り込まれる。すると、これが検出スイッチによって検出されて、所定数の賞球が上皿１９Ａ（図１参照）に払い出される。なお、一般入賞口２０，２１（図１参照）もポケット構造をなし、入球し対して所定数の賞球が上皿１９Ａに払い出される。
【００３１】
第１の始動入賞口１４Ａは、遊技球が１つだけ入る開口幅を有している。また、第１の始動入賞口１４Ａの上方には、遊技球が１つだけ通過可能な間隔を開けて１対の命釘１３Ｂ，１３Ｂが左右に並べて設けられ、これら１対の命釘１３Ｂ，１３Ｂの間の領域と第１の始動入賞口１４Ａの開口とが上下に並んでいる。
【００３２】
第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３３】
第１又は第２の何れかの始動入賞口１４Ａ，１４Ｂに遊技球が入賞すると、上述の如く所定数の遊技球が上皿１９Ａに払い出されると共に、表示装置３０において図柄が変動表示される。具体的には、図１に示すように表示装置３０に備えた液晶表示画面３４には、通常、３つの左、中、右の特別図柄３０Ａ，３０Ｂ，３０Ｃが横並びに表示されている。これら各特別図柄３０Ａ，３０Ｂ，３０Ｃは、例えば、「０」〜「１１」の数字を表記した複数種類のもので構成されており、通常は、各特別図柄３０Ａ，３０Ｂ，３０Ｃごと、所定の種類のものが停止表示されている。そして、始動入賞口１４に遊技球が入賞したときに、これら３つの特別図柄３０Ａ，３０Ｂ，３０Ｃが、上下方向にスクロール表示され、所定時間後に、例えば、左、右、中の順で各特別図柄３０Ａ，３０Ｃ，３０Ｂが停止表示される。このとき、中特別図柄３０Ｂがスクロール表示されている状態で、先に停止表示された左・右の特別図柄３０Ａ，３０Ｃが、同じ図柄となった場合に「リーチ状態」が成立する。すると、次述する「大当たり状態」になる確率が高くなる。また、全ての特別図柄３０Ａ，３０Ｂ，３０Ｃが同じ図柄、即ち、ぞろ目になった場合に、遊技が「大当たり状態」になる。
【００３４】
なお、液晶表示画面３４において特別図柄３０Ａ，３０Ｂ，３０Ｃが変動表示又は「大当たり状態」の最中に始動入賞口１４に入賞した場合、その入賞球は最大で４個まで保留記憶され、特別図柄３０Ａ，３０Ｂ，３０Ｃが停止表示又は「大当たり状態」が終了すると、その保留記憶に基づいて再び、特別図柄３０Ａ，３０Ｂ，３０Ｃが変動表示される。
【００３５】
大入賞口１５は、横長矩形に形成されて、常には、可動扉１５Ｔにて閉塞されている。パチンコ遊技機１０が「大当たり状態」になると、遊技板１１の裏に設けたソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３６】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿１９Ａに払い出される。
【００３７】
表示装置３０は、図２に示すように、全体として枠形構造をなした装飾枠３２の後端面に液晶モジュール（詳細には、ＴＦＴ−ＬＣＤモジュール）を組み付けてなる。液晶モジュールのうち、装飾枠３２に取り囲まれた前面部分が上記した液晶表示画面３４となっており、遊技者は、装飾枠３２を通して液晶表示画面３４に表示された画像を見ることができる。また、装飾枠３２と液晶表示画面３４とに囲まれた空間が、本発明の凹部室３２Ｒを構成している。
【００３８】
装飾枠３２は、遊技板１１に形成された図示しない取付窓に嵌め込まれて固定されている。装飾枠３２の上辺部３２Ａは、遊技板１１から前方に突出し、装飾枠３２の上辺部３２Ａと遊技領域Ｒ１の前方を覆う前面ガラス板１１Ｇとの間の隙間に遊技球が通過できないようになっている。これにより、液晶表示画面３４の前側を遊技球が流下することが規制されると共に、装飾枠３２の上方から装飾枠３２の内側へ遊技球が直接進入しないように規制されている。
【００３９】
装飾枠３２の両側辺部３２Ｂ，３２Ｂと前面ガラス板１１Ｇとの間には、遊技球が通過可能な間隔が設けられている。これにより、例えば、障害釘１３Ａ（図１参照）で弾かれた遊技球が装飾枠３２の側方から装飾枠３２内に進入することができる。
【００４０】
装飾枠３２の下辺部３２Ｃと前面ガラス板１１Ｇとの間には、遊技球が通過可能な間隔が設けられている。これにより、装飾枠３２内に進入した遊技球は、装飾枠３２の下辺部３２Ｃから装飾枠３２の下方に流下することができる。
【００４１】
装飾枠３２の下辺部３２Ｃのうち装飾枠３２の内側に位置した部分は、本発明に係る遊技球転動部４０になっている。遊技球転動部４０は、装飾枠３２の奥行き方向で１対の転動ステージ４１，４２に分けられ、前側の転動ステージ４２（本発明に係る「第２転動領域」に相当する。以下、下段転動ステージ４２という）が、奥側の転動ステージ４１（本発明に係る「第１転動領域」に相当する。以下、上段転動ステージ４１という）より段付状に低くなっている。また、上段転動ステージ４１は、遊技球１つの直径より若干広い幅をなして装飾枠３２の左右方向に延び、下段転動ステージ４２は、遊技球の直径の２倍以上の幅をなして左右方向に延びている。そして、下段転動ステージ４２の後縁部に突設された規制板４７が、下段転動ステージ４２の後縁から遊技球が落下するのを防止している。
【００４２】
詳細には、図３に示すように、下段転動ステージ４２は、全体として左右方向の中央が最も低くなるように凹状に湾曲すると共に、僅かに前側に向かって下っている。これにより、下段転動ステージ４２を転動した遊技球は、例えば、下段転動ステージ４２を左右に往復動しながら前側に徐々に移動する。また、下段転動ステージ４２の前縁部のうち左右方向の両端部には、流下防止壁４２Ａが形成されてここから遊技球の流下が防がれている。これに対し、下段転動ステージ４２の前縁部における中央部分は、流下防止壁４２Ａを有さず、本発明に係る低確率排出部５３を構成し、ここから遊技球転動部４０の下方に遊技球が流下可能になっている。
【００４３】
低確率排出部５３のうち左右方向の中心には、本発明にかかる誘導排出溝４２Ｂが形成されている。誘導排出溝４２Ｂは、下段転動ステージ４２の一部を凹状に湾曲させて僅かに窪ませた溝構造をなし、下段転動ステージ４２の幅方向（奥行き方向）の中間部から前縁部に向かって徐々に幅が広がっている。そして、誘導排出溝４２Ｂは、第１の始動入賞口１４Ａの真上に位置し、低確率排出部５３の中でも誘導排出溝４２Ｂを通過して下段転動ステージ４２から流下した遊技球は、第１及び第２の始動入賞口１４Ａ，１４Ｂに入球する確立が高くなる。なお、低確率排出部５３のうち誘導排出溝４２Ｂ以外の部位が、本発明にかかる一般低確率排出部４２Ｄとなる。
【００４４】
上段転動ステージ４１は、左右方向（上段転動ステージ４１の長手方向）の中央部と両端部とが僅かに高くなっており、中央部と各端部との間が緩やかに湾曲して凹状になっている。
【００４５】
上段転動ステージ４１の前縁部からは、流下防止壁４１Ｂが上方に突出している。流下防止壁４１Ｂは、上段転動ステージ４１のうち比較的高くなった部分、即ち、左右方向の中央部と両端部とに形成され、上段転動ステージ４１のうち比較的低くなった部分、即ち、左右方向における中央部と各端部との中間には、流下防止壁４１Ｂを切除して流下許容開口４１Ｃが形成されている。これにより、流下許容開口４１Ｃを通して上段転動ステージ４１から下段転動ステージ４２へと遊技球が流下可能になっている。
【００４６】
装飾枠３２の両側辺部３２Ｂ，３２Ｂには、案内ダクト４６，４６が備えられている。各案内ダクト４６は、一端側が水平方向に延びて装飾枠３２の外側に向かって開口していると共に、他端側が上段転動ステージ４１の端部に開口している。これにより、遊技領域Ｒ１を流下する遊技球を案内ダクト４６の一端側から受け入れて他端側から排出し、上段転動ステージ４１に遊技球を供給することができる。
【００４７】
さて、遊技球転動部４０の左右方向の中央部には、回転部材５４３と水平排出路４４とが備えられている。回転部材５４３は、図３に示すように縦長の円筒状に形成され、内部空間が移動排出補助孔５４３Ａとなっている。そして、下端面が閉鎖されかつ下端部の側面に排出口５４３Ｃが設けられている。この回転部材５４３の上端面は開放されて受入口５４３Ｂが形成されており、受入口５４３Ｂから流入した遊技球が移動排出補助孔５４３Ａを通って排出口５４３Ｃから排出可能となっている。また、回転部材５４３の上端面は、１対の規制突起５４３Ｄ，５４３Ｄが設けられている。
【００４８】
板状壁部４１Ａの中央部には、断面が回転部材５４３の外径より僅かに大きい略円形をなしかつ、上方を向いて開口する高確率排出部５５２の始端口４１Ｄが形成されている。そして、その高確率排出部始端口４１Ｄに、回転部材５４３が下側から挿入されて、受入口５４３Ｂの周縁部が高確率排出部始端口４１Ｄの周縁部と略面一となりかつ、規制突起５４３Ｄが上段転動ステージ４１から上方に突出するように配置されている。
【００４９】
回転部材５４３の真下には、図３に示すように、モータ５１が配置されている。このモータ５１は、鉛直方向に延びる回動シャフト５１Ａを備え、その回動シャフト５１Ａの先端部が回転部材５４３の下端部に一体回転可能に連結されている。このモータ５１が作動すると鉛直方向に向いた回動軸５１Ｂを中心にして回動シャフト５１Ａが回動すると共に、回動シャフト５１Ａに連動して回転部材５４３が回動軸５１Ｂを中心にして回動する。
【００５０】
回転部材５４３の下端部は、落下防止板６２で側方が覆われている。この落下防止板６２は、回転部材５４３の形状に応じて湾曲して形成され、回転部材５４３を跨いだ状態にして固定されている。
【００５１】
水平排出路４４は、装飾枠３２の下辺部３２Ｃのうち誘導排出溝４２Ｂの真下に形成され、前後方向に真っ直ぐに延びていると共に断面が遊技球を丁度１個だけ通過させることが可能な略矩形状に形成されている。そして、両端部が開放されて、後側が水排出路４４の始端口４４Ａとなり、前側が高確率排出部５５２の終端口４４Ｂとなっている。この高確率排出部終端口４４Ｂは、第１の始動入賞口１４Ａの真上にあって、装飾枠３２の下辺部３２Ｃの中央部、即ち誘導排出溝４２Ｂの排出口４２Ｃの真下において前向きに開放している。
【００５２】
このように、水平排出路４４は、誘導排出溝４２Ｂの排出口４２Ｃより第１の始動入賞口１４Ａに近い位置から遊技球を排出可能であると共に、誘導排出溝４２Ｂより遊技球の転動方向を安定させることが可能である。これにより、高確率排出部終端口４４Ｂから排出された遊技球は、排出口４２Ｃから排出された遊技球より第１の始動入賞口１４Ａに入球する確率が高くなっている。なお、一般低確率排出部４２Ｄは、第１の始動入賞口１４Ａの真上から左右方向にずれた位置に設けられている。このため、一般低確率排出部４２Ｄから排出された遊技球は、第１の始動入賞口１４Ａの真上に設けられている高確率排出部終端口４４Ｂ及び排出口４２Ｃから排出された遊技球より第１の始動入賞口１４Ａに入球する確率が低くなっている。
【００５３】
なお、回転部材５４３、水平排出路４４、高確率排出部始端口４１Ｄ及び高確率排出部終端口４４Ｂが、本発明の高確率排出部５５２となる。
【００５４】
次に、本実施形態のパチンコ遊技機１０の電気的な構成について説明する。図６の符号１００は、メイン制御回路１００であって、パチンコ遊技機１０全体を統括的に制御している。そして、そのメイン制御回路１００を補助するために、サブ制御回路１０１が備えられている。サブ制御回路１０１には、表示制御回路１０２、ランプ制御回路１０３及び音声制御回路１０４が接続されている。そして、サブ制御回路１０１は、メイン制御回路１００から付与された指令に基づいて詳細な指令を決定し、表示制御回路１０２、ランプ制御回路１０３及び音声制御回路１０４に付与する。これを受けて、表示制御回路が表示装置３０を制御し、音声制御回路１０４がスピーカ１３（図１参照）から音声を出力し、ランプ制御回路１０３がサイドランプ２２を点灯又は消灯させる。
【００５５】
また、メイン制御回路１００には、サブ制御回路１０１の他、払出制御回路１０６及び中継回路１０７が接続されている。そして、払出制御回路１０６により貸球払出装置１１０、発射装置１１１及び賞球払出装置１１２が制御されて、遊技球の貸し出し、発射、払い出しが行われる。また、中継回路１０７には、各種センサ１０８群、可動扉１５Ｔの扉駆動ソレノイド１５Ｓ及び回転部材５４３を上下方向に往復移動させるモータ５１が接続されている。
【００５６】
本実施形態に係るパチンコ遊技機１０の構成は以上である。以下、その作用効果について説明する。発射操作ノブ２８を操作すると遊技球が発射されてガイドレール１２に沿って移動し、遊技領域Ｒ１の上部に打ち出されて遊技板１１の前面に配置された役物及び障害釘等に当接しながら遊技領域Ｒ１を流下する。そして、遊技領域Ｒ１を流下する遊技球の一部が障害釘１３Ａに案内されて案内ダクト４６に流入し、案内ダクト４６を通って上段転動ステージ４１の左右方向の端部に排出される。
【００５７】
上段転動ステージ４１に排出された遊技球は、上段転動ステージ４１の中央部において受入許容位置と受入規制位置との間で周期的に往復動している回転部材５４３に向かって転動する。遊技球が上段転動ステージ４１を転動する間、遊技者は遊技球が高確率排出部始端口４１Ｄの周縁部に遊技球が到達した際の回転部材５４３の位置が分かるまで、遊技球と回転部材５４３とに注目する。
【００５８】
上段転動ステージ４１上を転動する遊技球が高確率排出部始端口４１Ｄの周縁部に到達した際に、回転部材５４３が受入許容位置にある場合には、図５（Ａ）に示すように、１対の規制突起５４３Ｄ，５４３Ｄが前後方向、即ち、板状壁部４１Ａの長手方向と直交する方向に並んだ状態となり、高確率排出部始端口４１Ｄの周縁部に至った遊技球を受入口５４３Ｂから移動排出補助孔５４３Ａに受け入れが可能となる。これに対し、回転部材５４３が受入許容位置から回動して受入規制位置にある場合には、図５（Ｂ）に示すように、規制突起５４３Ｄが高確率排出部始端口４１Ｄの周縁部に至った遊技球に当接して、遊技球転動部４０を転動した遊技球の移動排出補助孔５４３Ａへの受け入れが規制される。
【００５９】
ここで、規制突起５４３Ｄに当接した遊技球は、上段転動ステージ４１上を左右方向に往復動する。そして、往復する間に、案内ダクト４６から他の遊技球が排出されると、先に上段転動ステージ４１に排出されて往復動していた遊技球が、後に上段転動ステージ４１に排出された遊技球に押されて再び高確率排出部始端口４１Ｄの周縁部に至ることがある。この際に回転部材５４３が受入許容位置にあれば、両遊技球のうち少なくとも一方が移動排出補助孔５４３Ａに流入する。そして、上段転動ステージ４１上で転動する遊技球のうちのうち、移動排出補助孔５４３Ａに流入しなかったものは、流下許容開口４１Ｃを通って下段転動ステージ４２に落下する。下段転動ステージ４２に落下した遊技球は、下段転動ステージ４２上を転動して低確率排出部５３、即ち、一般低確率排出部４２Ｄ又は誘導排出溝４２Ｂから排出される。
【００６０】
また、移動排出補助孔５４３Ａに受け入れられた遊技球は、回転部材５４３が受入許容位置となって排出口５４３Ｃと水平排出路４４の始端口４４Ａとが対向すると始端口４４Ａに排出され、水平排出路４４を通って高確率排出部終端口４４Ｂから排出される。そして、回転部材５４３が受入規制位置となって排出口５４３Ｃと水平排出路４４の始端口４４Ａとが対向する位置から離れると、排出口５４３Ｃが落下防止板６２で覆われて、遊技球が移動排出補助孔５４３Ａ内に貯留される。このように、本実施形態によれば、移動排出補助孔５４３Ａに受け入れた遊技球を排出するタイミングを調節することができる。
【００６１】
このように、本実施形態のパチンコ遊技機１０では、回転部材５４３の位置に応じて遊技球の動作が変わり遊技球の動作の多様化が図られる。しかも、回転部材５４３を高確率排出部５２自体に備えたことで、遊技球転動部４０に進入した遊技球が高確率排出部５２に向かって転動する転動動作を従来より長く楽しむことができる。
【００６２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記実施形態では、パチンコ遊技機１０に本発明を適用していたが、弾球遊技機であれば、アレンジボール等に備えてもよい。
【００６４】
（２）前記実施形態では、高確率排出部始端口４１Ｄを上段転動ステージ４１の左右方向の中央に設けていたが、上段と下段の転動ステージ４１，４２の任意の場所に設けてもよい。また、高確率排出部始端口４１Ｄ及び回転部材５４３を複数設けてもよい。このように、回転部材５４３の配置を変更して、入賞装置への入賞率を調整してもよい。
【００６５】
（３）前記実施形態において、ステッピングモータを用いて回転部材５４３の移動量を調整してもよい。
【００６６】
（４）前記実施形態において、回転部材５４３は、遊技中連続して移動させるようにしてもよいし、メイン制御回路１００から制御信号が送信された場合のみ移動するようにしてもよい。また、回転部材５４３は、遊技の演出と関連して移動するようにしてもよい。この場合は、メイン制御回路１００からの制御信号を受信したサブ制御回路１０１から送信された制御信号に基づいて回転部材５４３を移動させるのが望ましい。このように、回転部材５４３の作動頻度を調整して入賞装置への入賞率を調整してもよい。
【００６７】
（５）前記実施形態において、回転部材５４３は、内部に遊技球を受け入れ可能な形状であれば、円筒状に限らず任意の形状にしてもよい。
【００６８】
（６）前記実施形態において、回転部材５４３は、その側面に当接した遊技球を所定の方向に案内可能な形状としてもよい。
【００６９】
（７）前記実施形態において、遊技球転動部４０は、入賞装置に遊技球が入賞可能な第１誘導路と、第１誘導路より入賞しにくい第２誘導路とを備える構成にしてもよい。
【００７０】
（８）本発明における高確率排出部と低確率排出部とでいう高低は、両排出部が入賞装置に入球する確率を相対的に比較したものである。
【００７１】
本発明の弾球遊技機の構成及び、本発明の技術的範囲には含まれないが本発明と同様の技術思想であって本発明と同等の効果を奏する弾球遊技機の構成を概念的に纏めると、以下のようになる。
【００７２】
［１］遊技球が転動可能な遊技球転動部と、前記遊技球転動部から排出されて流下した遊技球が入球可能であり、遊技球の入球に応じて遊技の特典を付与する入賞装置とを備えた弾球遊技機において、前記遊技球転動部のうち遊技球の排出部には、前記入賞装置への入球確率が比較的高い高確率排出部と、比較的低い低確率排出部とが備えられ、前記高確率排出部には、受け入れた遊技球を前記高確率排出部から排出させる移動排出補助孔を有し、前記遊技球転動部を転動した遊技球の前記移動排出補助孔への受け入れを許容する受入許容位置と、前記移動排出補助孔への受け入れを規制する受入規制位置との間で移動する移動部材を備えたことを特徴とする弾球遊技機。
【００７３】
［２］前記高確率排出部には、前記遊技球転動部に上方を向いて開口した高確率排出部始端口と、前記遊技球転動部を避けた位置で開口した高確率排出部終端口と、それら高確率排出部始端口と高確率排出部終端口との間を連通した高確率遊技球通路とが備えられ、前記移動部材は、少なくとも一部が前記高確率遊技球通路の内部に収容されると共に、前記移動排出補助孔における遊技球の排出口が、前記高確率遊技球通路内に配置されたことを特徴とする［１］に記載の弾球遊技機。
【００７４】
［３］前記移動部材は、前記受入規制位置では、遊技球を前記高確率遊技球通路以外の位置に案内するように構成されたことを特徴とする［２］に記載の弾球遊技機。
【００７５】
［４］前記移動部材を前記受入許容位置と前記受入規制位置との間で移動する電気的駆動源を備えたことを特徴とする［２］又は［３］に記載の弾球遊技機。
【００７６】
［５］前記電気的駆動源は、前記移動部材を上下動し、前記移動部材が上下ストロークの最下限位置に至ったときにのみ、前記移動排出補助孔から遊技球を排出可能としたことを特徴とする［４］に記載の弾球遊技機。
【００７７】
［６］前記電気的駆動源は、前記移動部材を上下動し、前記移動部材は、内側が前記移動排出補助孔になった筒状をなすと共に、上端面に前記移動排出補助孔が開口し、前記移動部材が前記受入許容位置に至ると、前記移動部材の上端面が前記高確率排出部始端口の周縁部に対して面一又は下方に位置する一方、前記移動部材が前記受入規制位置に至ると、前記移動部材の上端面が前記高確率排出部始端口の周縁部より上方に位置するように構成したことを特徴とする［４］又は［５］に記載の弾球遊技機。
【００７８】
［７］前記電気的駆動源は、前記移動部材を上下動し、前記移動部材は、上下方向に延びた筒部と、その筒部の上端部から側方に張り出したフランジ部とを備えてなると共に、前記移動排出補助孔としての前記筒部の内側空間が前記フランジ部の上面に開放し、前記遊技球転動部は、板状壁部を備え、その板状壁部には、前記高確率排出部始端口が前記フランジ部を挿通可能に貫通形成され、前記低確率排出部は、前記板状壁部の下方のうち前記筒部の側方を通過する低確率遊技球通路を有し、前記移動部材が前記受入許容位置に至ると、前記フランジ部の上面が前記高確率排出部始端口の周縁部に対して面一又は下方に位置する一方、前記移動部材が前記受入規制位置に至ると、前記フランジ部が前記高確率排出部始端口の周縁部より上方に離間し、遊技球が前記筒部と前記高確率排出部始端口の周縁部との間を通過して前記低確率遊技球通路に進入可能になることを特徴とする［４］又は［５］に記載の弾球遊技機。
【００７９】
［８］前記電気的駆動源は、前記移動部材を上下動し、前記移動部材は、内側が前記移動排出補助孔になった筒状をなすと共に、上端面に前記移動排出補助孔が開口し、前記低確率排出部は、前記板状壁部の下方のうち前記移動部材の側方を通過する低確率遊技球通路を有し、前記移動部材が前記受入許容位置に至ると、前記移動部材の上端面が前記高確率排出部始端口の周縁部に対して面一又は下方に位置する一方、前記移動部材が前記受入規制位置に至ると、前記移動部材の上端面が前記高確率排出部始端口の周縁部より下方に離間して、遊技球が前記移動部材の上端面と前記板状壁部の下面との間を通過して前記低確率遊技球通路に進入可能になることを特徴とする［４］又は［５］に記載の弾球遊技機。
【００８０】
［９］前記電気的駆動源は、モータであり、前記モータの回転出力を前記移動部材の直動運動に変換する運動変換機構には、前記モータによって駆動されるモータ回転出力部材と前記移動部材とに両端部を回転可能にピンにて連結されかつ、少なくとも一端部に前記ピンをスライド可能に収容する長孔を備えたリンク部材が備えられたことを特徴とする［４］乃至［８］の何れかに記載の弾球遊技機。
【００８１】
［１０］前記移動部材を上下動可能に案内するガイド部を備えたことを特徴とする［１］乃至［９］の何れかに記載の弾球遊技機。
【００８２】
［１１］前記電気的駆動源は、略水平方向を向いた回動軸を中心にして前記移動部材を回動し、前記遊技球転動部は、板状壁部を備えて、その板状壁部に前記高確率排出部始端口が貫通形成され、前記移動部材は、前記回転軸の方向に延びた円柱状をなして前記板状壁部の下方に配置され、前記移動排出補助孔は、前記移動部材に貫通形成され、前記移動部材が前記受入許容位置に至ると、前記移動部材の周面における前記移動排出補助孔の何れか一方の開口が、前記高確率排出部始端口と対向する一方、前記移動部材が前記受入規制位置に至ると、前記移動部材の周面における前記移動排出補助孔の開口以外の壁部が、前記高確率排出部始端口を閉じるように構成したことを特徴とする［４］に記載の弾球遊技機。
【００８３】
［１２］前記電気的駆動源は、略水平方向を向いた回動軸を中心にして前記移動部材を回動し、前記遊技球転動部は、板状壁部を備えて、その板状壁部に前記高確率排出部始端口が貫通形成され、前記移動部材は、前記回動軸の方向に延びた円柱状をなして前記板状壁部の下方に配置され、前記移動排出補助孔は、前記移動部材の外周面に出入共通口を有して奥側が閉じられた構造をなし、前記移動部材が前記受入許容位置に至ると、前記移動部材の周面における前記移動排出補助孔の出入共通口が、前記高確率排出部始端口と対向すると共に、前記移動部材が前記受入許容位置以外の所定の位置で、前記移動排出補助孔の出入共通口から遊技球が排出され、前記移動部材が前記受入規制位置に至ると、前記移動部材の周面における前記移動排出補助孔の出入共通口以外の壁部が前記高確率排出部始端口を閉じるように構成したことを特徴とする［４］に記載の弾球遊技機。
【００８４】
［１３］前記遊技球転動部は、板状壁部を備えて、その板状壁部に前記高確率排出部始端口が貫通形成され、前記移動部材は、前記板状壁部の下方に配置され、前記電気的駆動源は、前記移動部材を略水平方向に往復動し、前記移動排出補助孔は、前記移動部材に貫通形成され、前記移動部材が前記受入許容位置に至ると、前記移動部材の周面における前記移動排出補助孔の何れか一方の開口が、前記高確率排出部始端口と対向する一方、前記移動部材が前記受入規制位置に至ると、前記移動部材の周面における前記移動排出補助孔の開口以外の壁部が、前記高確率排出部始端口を閉じるように構成したことを特徴とする［４］に記載の弾球遊技機。
【００８５】
［１４］前記移動部材が前記受入規制位置に至り、前記移動部材の周面における前記移動排出補助孔の開口以外の壁部が、前記高確率排出部始端口を閉じた状態で、前記遊技球が前記高確率排出部始端口内に保持されかつ、その遊技球を前記遊技球転動部を転動した他の遊技球との衝突によって押し出し可能としたことを特徴とする［１１］乃至［１３］の何れかに記載の弾球遊技機。
【００８６】
［１５］前記遊技球転動部を第１転動領域と第２転動領域とに区画し、前記第１転動領域から第２転動領域へと遊技球が転動可能であると共に、前記第２転動領域から第１転動領域への遊技球の転動が規制され、前記高確率遊技球通路の高確率排出部始端口が前記第１転動領域に開口する一方、前記高確率遊技球通路の高確率排出部終端口が、前記第２転動領域への転動を避けた位置に開口し、前記低確率排出部は、前記第２転動領域を転動した遊技球を受け入れて前記低確率排出部から前記遊技球転動部の外部に遊技球を排出するように構成されたこを特徴とする［２］乃至［１４］の何れかに記載の弾球遊技機。
【００８７】
［１６］前記第２転動領域に形成されて上方側が開放すると共に、前記第２転動領域の縁部に排出口を備えた誘導排出溝を前記低確率排出部の一部として設けたことを特徴とする［１５］に記載の弾球遊技機。
【００８８】
［１７］前記第２転動領域の縁部には、遊技球の排出を規制する流下防止突条が形成され、前記低確率排出部には、前記誘導排出溝とは別に設けられ、前記流下防止突条を排除して遊技球の排出を可能としかつ前記誘導排出溝より前記入賞装置への入球確率が低い一般低確率排出部が形成されたことを特徴とする［１６］に記載の弾球遊技機。
【００８９】
［１８］前記高確率遊技球通路の高確率排出部終端口を、前記入賞装置の真上に配置したことを特徴とする［２］乃至［１７］の何れかに記載の弾球遊技機。
【００９０】
［１９］前記移動部材は、上下動して前記受入許容位置と前記受入規制位置との間を移動し、前記移動部材が前記受入規制位置に位置したときに、前記移動排出補助孔への遊技球の受入口が前記遊技球転動部より上方に配置される一方、前記移動部材が前記受入許容位置に位置したときに、前記移動排出補助孔への遊技球の受入口が前記遊技球転動部と同一又は前記遊技球転動部より低い位置に配置されるように構成したことを特徴とする［４］又は［５］に記載の弾球遊技機。
【００９１】
［２０］前記遊技球転動部の上方側を流下する遊技球を受け入れて、前記遊技球転動部へと案内する流入路を備えたことを特徴とする［１］乃至［１９］の何れかに記載の弾球遊技機。
【００９２】
［２１］前面側を遊技球が流下する遊技板を備え、前記遊技板の一部に切除して前面側が開放した凹部室を形成し、その凹部室の内側下部に前記遊技球転動部を配置したことを特徴とする［１］乃至［２０］の何れかに記載の弾球遊技機。
【００９３】
［２２］遊技球が転動可能な遊技球転動部と、前記遊技球転動部から排出されて流下した遊技球が入球可能であり、遊技球の入球に応じて遊技の特典を付与する入賞装置と、遊技球が一端から他端へと通過可能な移動排出補助孔を有し、前記遊技球転動部に対して受入許容位置と受入規制位置との間を移動する移動部材とを備えた弾球遊技機において、前記遊技球転動部には、前記遊技球転動部を転動した遊技球が前記移動排出補助孔を通過して前記遊技球転動部から排出される第１排出路と、前記遊技球転動部を転動した遊技球が前記移動排出補助孔を通過せずに前記遊技球転動部から排出される第２排出路とが備えられ、前記移動部材は、前記遊技球転動部を転動した遊技球の前記移動排出補助孔への受け入れを許容する受入許容位置と、前記移動排出補助孔への受け入れを規制する受入規制位置との間で移動することを特徴とする弾球遊技機。
【００９４】
［２３］前記第１排出路及び前記第２排出路は、遊技球を遊技の特典を付与可能な装置に誘導することを特徴とする［２２］に記載の弾球遊技機。
【００９５】
上記した［１］〜［２３］の構成によれば、それぞれ以下の作用効果を奏する。
即ち、［１］の構成では、遊技球転動部における低確率排出部から遊技球が排出される場合に比べて、遊技球転動部における高確率排出部から遊技球が排出された場合の方が入賞装置への入球確率が高くなり、高確率排出部に遊技球が入球するか否かに遊技の関心を集めることができる。そして、移動部材が受入許容位置にあるか受入規制位置にあるかに応じて、移動部材の移動排出補助孔を経由して遊技球が高確率排出部から排出される或いは遊技球がそれ以外の経路を経由して低確率排出部から排出されるかに分かれる。このように、本発明によれば、移動部材の位置に応じて遊技球の動作が変わり遊技球の動作の多様化が図られる。しかも、移動部材を高確率排出部自体に備えたことで、遊技球転動部に進入した遊技球が高確率排出部に向かって転動する転動動作を従来より長く楽しむことができる。
【００９６】
［２］の構成によれば、移動部材の少なくとも一部を、高確率排出部に備えた高確率遊技球通路の内部に収容したので省スペース化が図られると共に、移動部材の移動排出補助孔に受け入れられた遊技球は、移動排出補助孔における遊技球の排出口が、高確率遊技球通路内に配置されたので、移動排出補助孔から高確率遊技球通路へと確実に遊技球を受け渡すことができる。
【００９７】
移動部材は、受入規制位置で遊技球をランダムに振り分ける構成にしてもよいし、［３］の構成のように、遊技球を高確率遊技球通路以外の位置に案内する構成にしてもよい。これにより、移動部材が受入許容位置にある場合には、遊技球が高確率遊技球通路を通過して入賞装置に入賞することを期待させることができる。また、移動部材を、遊技球の自重によって受入許容位置と受入規制位置との間で移動する構成にしてもよいし、［４］の構成のように、電気的駆動源で移動部材を受入許容位置と受入規制位置との間で移動する構成にしてもよい。
【００９８】
また、電気的駆動源により、移動部材を上下動させてもよいし、左右方向に往復動させてもよいし、一方向に回転又は往復回動させてもよい。移動部材を上下動させる場合には、受入規制位置と受入許容位置との何れを上側にしてもよい。ここで、受入規制位置を上側とし、受入許容位置を下側にした場合には、例えば、［１９］の構成のように、移動部材が受入規制位置に位置したときに、移動排出補助孔への遊技球の受入口が遊技球転動部より上方に配置される一方、移動部材が受入許容位置に位置したときに、移動排出補助孔への遊技球の受入口が遊技球転動部と同一又は遊技球転動部より低い位置に配置されるようにすればよい。また、移動部材を上下動させる場合には、移動部材が上下ストロークのうち所定の位置のみで移動排出補助孔から遊技球を排出可能としてもよい。例えば、［５］の構成のように、移動部材が上下ストロークの最下限位置に至ったときにのみ、移動排出補助孔から遊技球を排出可能としてもよい。さらに、電気的駆動源により移動部材を一定速度で上下動、左右方向への往復動、一方向への回転又は往復回動させると、遊技球を高確率排出部から一定のタイミングで間欠的に排出することができる。
【００９９】
移動部材が上下動しかつ受入許容位置より受入規制位置が上方に配置された具体的な構成として［６］の構成によれば、上下動可能な筒状の移動部材が受入許容位置に至ると、移動部材の上端面が高確率排出部始端口の周縁部に対して面一又は下方に位置し、遊技球が移動排出補助孔に受け入れ可能となり高確率排出部に案内される。一方、移動部材が受入規制位置に至ると、移動部材の上端面が高確率排出部始端口の周縁部より上方に位置して移動排出補助孔への遊技球の入球及び高確率排出部からの排出が規制される。これにより、遊技者は、上下動している移動部材に対する転動中の遊技球の位置から、転動中の遊技球が移動部材に入球するか否かを推測することができる。
【０１００】
移動部材が上下動しかつ受入許容位置より受入規制位置が上方に配置された別の具体的な構成として［７］の構成によれば、上下動可能な移動部材が受入許容位置に至ると、移動部材の上端部に備えたフランジ部の上面が、高確率排出部始端口の周縁部に対して面一又は下方に位置し、遊技球が移動排出補助孔に受け入れ可能となり、高確率排出部に案内される。一方、移動部材が受入規制位置に至ると、フランジ部が高確率排出部始端口の周縁部より上方に離間し、遊技球が筒部と高確率排出部始端口の周縁部との間の通過して低確率排出部としての低確率遊技球通路に案内される。これにより、遊技球の転動動作を多彩にすることができる。
【０１０１】
移動部材が上下動しかつ受入許容位置より受入規制位置が下方に配置された別の具体的な構成として［８］の構成によれば、上下動可能な筒状の移動部材が受入許容位置に至ると、移動部材の上端面が高確率排出部始端口の周縁部に対して面一又は下方に位置し、遊技球が移動排出補助孔に受け入れ可能となり高確率排出部に案内される。一方、移動部材が受入規制位置に至ると、移動部材の上端面が高確率排出部始端口の周縁部より下方に離間し、遊技球が移動部材の上端面と板状壁部の下面との間の通過して低確率排出部としての低確率遊技球通路に案内される。これにより、遊技球の転動動作を多彩にすることができる。
【０１０２】
移動部材を上下動させる電気的駆動源としてモータを用いた場合の具体的な構成として［９］の構成のように、モータの回転出力を移動部材の直動運動に変換する運動変換機構に、モータによって駆動されるモータ回転出力部材と移動部材とに両端部を回転可能にピンにて連結されかつ、少なくとも一端部にピンをスライド可能に収容する長孔を備えたリンク部材を備えた構成にすればよい。これにより、モータで移動部材を直動させることが可能となる。
【０１０３】
［１０］の構成では、ガイド部によって移動部材の上下動の動作が安定する。
【０１０４】
移動部材が略水平方向を向いた回動軸を中心に回動する具体的な構成として［１１］の構成では、回転可能な移動部材に移動排出補助孔が貫通形成され、移動部材が受入許容位置に至ると、移動部材の周面における移動排出補助孔の何れか一方の開口が、高確率排出部始端口と対向し、遊技球が移動排出補助孔に受け入れ可能となり高確率排出部に案内される。一方、移動部材が受入規制位置に至ると、移動部材の周面における移動排出補助孔の開口以外の壁部が高確率排出部始端口を閉じ、これにより移動排出補助孔への遊技球の入球及び高確率排出部からの排出が規制される。また、移動部材が回動軸を中心に回動するので、移動部材が直動する場合より移動スペースを小さくすることができる。
【０１０５】
移動部材が略水平方向を向いた回動軸を中心に回動する別の具体的な構成として［１２］の構成では、移動部材には奥側が閉じられた移動排出補助孔が形成され、移動部材が受入許容位置に至ると、移動排出補助孔における出入共通口が、高確率排出部始端口と対向し、遊技球が移動排出補助孔に受け入れられ、移動部材が回転して遊技球が出入共通口から高確率排出部へと案内される。一方、移動部材が受入規制位置に至ると、移動部材の周面における移動排出補助孔の出入共通開口以外の壁部が高確率排出部始端口を閉じ、これにより移動排出補助孔への遊技球の入球及び高確率排出部からの排出が規制される。また、移動部材を一定速度で回動させると、受入許容位置と受入規制位置との間を一定間隔で移動することができる。
【０１０６】
移動部材が略水平方向で往復動する具体的な構成として［１３］の構成では、移動排出補助孔が移動部材に貫通形成され、移動部材が受入許容位置に至ると、移動部材の周面における移動排出補助孔の何れか一方の開口が、高確率排出部始端口と対向し、遊技球が移動排出補助孔に受け入れ可能となり高確率排出部に案内される。一方、移動部材が受入規制位置に至ると、移動部材の周面における移動排出補助孔の開口以外の壁部が高確率排出部始端口を閉じ、これにより移動排出補助孔への遊技球の入球及び高確率排出部からの排出が規制される。また、遊技球を受け入れ可能な状態と遊技球を排出可能な状態とを交互に繰り返すことができる。
【０１０７】
［１４］の構成によれば、移動部材が受入規制位置に至り、高確率排出部始端口が閉じられた状態で、遊技球が高確率排出部始端口内に保持される。そして、その遊技球に他の遊技球が衝突して高確率排出部始端口から押し出され得るが、他の遊技球が衝突しなければ、移動部材が受入許容位置に至って高確率排出部始端口が開かれたときに、その遊技球は高確率排出部から排出され、入賞装置への入球確率が高くなる。これにより、遊技球転動部における遊技球の動作に対する興味をさらに喚起することができる。
【０１０８】
［１５］の構成のように、遊技球転動部を第１転動領域と第２転動領域とに区画することで遊技球の動作を多様化させることができる。
【０１０９】
［１６］及び［１７］の構成では、低確率排出部の一部に誘導排出溝を設けたことにより、低確率排出部のうち誘導排出溝とそれ以外の部位との間で遊技球の排出経路が分かれ、遊技球の動作のさらなる多様化が可能になる。
【０１１０】
［１８］の構成によれば、高確率遊技球通路の高確率排出部終端口を、入賞装置の真上に配置したことにより、高確率遊技球通路を通過した遊技球が入賞装置に入球する確率を高くすることができる。
【０１１１】
［１９］の構成によれば、移動部材に受入可能な状態と受入不可能な状態とを分けたので、入賞装置への入賞率を調整することができる。
【０１１２】
［２０］の構成のように、遊技球転動部の上方側を流下する遊技球を受け入れて、遊技球転動部へと案内する流入路を設けることで、遊技球の動作をさらに多様化することができる。
【０１１３】
［２１］の構成によれば、凹部室の内側下部にて遊技球転動部を立体的に配置することができる。
【０１１４】
［２２］の構成によれば、移動部材が受入許容位置にあるか受入規制位置にあるかに応じて、遊技球転動部を転動した遊技球が第１排出路或いは第２排出路から排出されるかに分かれる。このように、本発明によれば、移動部材の位置に応じて遊技球の動作が変わり遊技球の動作の多様化が図られる。しかも、移動部材自体が第１排出路の少なくとも一部を構成しているので、遊技球転動部に進入した遊技球が第１排出路に向かって転動する動作を従来より長く楽しむことができる。
【０１１５】
［２３］の構成によれば、第１排出路及び第２排出路から排出された遊技球が、遊技の特典を付与可能な装置に入賞する期待を高めることができる。
【符号の説明】
【０１１６】
１０    パチンコ遊技機（弾球遊技機）
１１    遊技板
３２Ｒ    凹部室
１４Ａ    第１の始動入賞口（入賞装置）
４０    遊技球転動部
４１    上段転動ステージ（第１転動領域）
４１Ａ    板状壁部
４１Ｄ   高確率排出部始端口
４２    下段転動ステージ（第２転動領域）
４２Ａ    流下防止壁（流下防止突条）
４２Ｂ    誘導排出溝
４２Ｃ    排出口
４２Ｄ    一般低確率排出部
５４３    回転部材
５４３Ａ    移動排出補助孔
５４３Ｂ    受入口
５４３Ｃ    排出口
４４Ｂ    終端口（高確率排出部の終端口）
４５    遊技球通路（高確率遊技球通路）
４６    案内ダクト（流入路）
５１    モータ（電気的駆動源）
５１Ｂ    回動軸
５５２    高確率排出部
【手続補正３】
【補正対象書類名】図面
【補正対象項目名】全図
【補正方法】変更
【補正の内容】
【図１】
2010264290.tif 000024
【図２】
2010264290.tif 000025
【図３】
2010264290.tif 000026
【図４】
2010264290.tif 000027
【図５】
2010264290.tif 000028
【図６】
2010264290.tif 000029